(57)【要約】  液体ディスペンサを備えたボトルクロージャが一般的には液体の貯蔵・排出用液体貯蔵デバイスに関する。クロージャは、ボトルを閉止するためにボトルネックに取付け可能な把持可能ディスペンサのフォーム内である。クロージャは、キャップと、リザーバを含むディスペンサとを備える第１の液体の貯蔵・排出用複合デバイスであり、リザーバからボトル打栓用キャップ内のソケット内への第１の液体の通路を開閉するために、キャップはディスペンサに対して第１と第２の位置間で移動可能である。【選択図】図１
2021526487.tif 000002
【特許請求の範囲】
【請求項１】
改良キャップの受取りと、ボトルへの連結とに適応したディスペンサであって、ディスペンサは第１の液体を受取り、貯蔵するリザーバを有し、改良キャップがディスペンサに対して第１から第２の位置に移動させられた場合は、ディスペンサは動作可能配置になるよう操作され、ユーザ選択量の第１の液体をボトル内に分注するために、第２の位置では、流体経路が改良キャップ内の第１の通路経由でリザーバから画定されるディスペンサ。
【請求項２】
連結時には改良キャップとインタロックするように配置されており、ディスペンサから改良キャップの脱落を防止する手段を有する、請求項１に記載のディスペンサ。
【請求項３】
改良キャップ上の突起を受取り、ディスペンサ内の改良キャップとインタロックする、内部に少なくとも１つのスロットが画定された本体を有する、請求項２に記載のディスペンサ。
【請求項４】
２つのスロットを備え、各スロットが改良キャップ上の２つの対応突起の一方を受取るように配置されている、請求項３に記載のディスペンサ。
【請求項５】
前記又は各スロットが本体内に画定された螺旋状経路上にある、請求項３又は４に記載のディスペンサ。
【請求項６】
スロットが管状体の略正反対側に位置する、請求項４又は５に記載のディスペンサ。
【請求項７】
ディスペンサから改良キャップにトルクを伝達するために、前記又は各スロットは、第１と第２の位置で前記又は各突起に当接するように配置されたエッジをその端に有する、請求項３、４、５又は６に記載のディスペンサ。
【請求項８】
選択量の第１の液体を分注するためにユーザが操作するエジェクタを備える、請求項１〜７のいずれか一項に記載のディスペンサ。
【請求項９】
エジェクタは、リザーバ内で移動可能なピストンを備える、請求項８に記載のディスペンサ。
【請求項１０】
エジェクタは、選択量の液体の分注後にその形状を回復するリザーバの弾性部を備える、請求項８又は９に記載のディスペンサ。
【請求項１１】
リザーバは、ディスペンサの壁と、パーティションと、選択量の第１の液体を分注するためにユーザが操作するエジェクタとにより画定される、請求項１〜１０のいずれか一項に記載のディスペンサ。
【請求項１２】
リザーバの壁を貫通する第２の通路を有し、流体経路は第２の通路と第１の通路経由でリザーバから画定される、請求項１〜１１のいずれか一項に記載のディスペンサ。
【請求項１３】
第１の通路が第２の通路に対して移動するように、第１の通路は改良キャップと共に移動し、第２の通路はディスペンサと共に移動する、請求項１２に記載のディスペンサ。
【請求項１４】
改良キャップを受取るための形状及び寸法の栓受けを含む、請求項１〜１３のいずれか一項に記載のディスペンサ。
【請求項１５】
栓受けはスロットを備える、請求項３、４、５、６又は７に従属する請求項１４に記載のディスペンサ。
【請求項１６】
栓受けとリザーバ部分であるパーティションを備える、請求項１４又は１５に記載のディスペンサ。
【請求項１７】
パーティションは第２の通路を含む、請求項１２又は１３に従属する請求項１６に記載のディスペンサ。
【請求項１８】
第１の通路を閉塞し、それにより、ディスペンサを第１の位置で動作不能な配置に構成するために、ディスペンサと共に改良キャップに対して移動する閉塞手段を備える、請求項１〜１７のいずれか一項に記載のディスペンサ。
【請求項１９】
閉塞手段は、リザーバを形成するためにディスペンサの別部分と連結するディスペンサの一部である、請求項１８に記載のディスペンサ。
【請求項２０】
閉塞手段を備える改良キャップとのインタロックに適応した、請求項１８又は１９に記載のディスペンサ。
【請求項２１】
閉塞手段は前記パーティションを備える、請求項１６又は１７に従属する請求項１８、１９又は２０に記載のディスペンサ。
【請求項２２】
閉塞手段は、第１の位置で第１の通路を閉塞し、第２の位置で第１の通路を閉塞解除する寸法のプラグを備える、請求項１８、１９、２０又は２１に記載のディスペンサ。
【請求項２３】
プラグは第２の通路を備え、第１の通路内で同軸移動するように配置されている、請求項１２又は１７に従属する請求項２２に記載のディスペンサ。
【請求項２４】
ディスペンサへの連結に適応したボトル用改良キャップであって、ユーザ選択量の第１の液体をボトル内に分注するために、流体経路が改良キャップ内の第１の通路経由でディスペンサ内のリザーバから画定される動作可能配置に前記ディスペンサを構成するために、改良キャップは操作によりディスペンサに対して第１から第２の位置に移動する、ボトル用改良キャップ。
【請求項２５】
改良キャップからのディスペンサの脱落を防止するために連結時にはディスペンサとインタロックするように配置される、請求項２４に記載の改良キャップ。
【請求項２６】
改良キャップとディスペンサのインタロックのために、ディスペンサの本体内のスロット内に受取るべき第１の突起を備える、請求項２４又は２５に記載の改良キャップ。
【請求項２７】
第２の突起が、第１の突起に対して改良キャップの略正反対側に位置する、請求項２６に記載の改良キャップ。
【請求項２８】
本体への改良キャップの連結を容易にするように、前記又は各突起は先細りにしてある、請求項２６又は２７に記載の改良キャップ。
【請求項２９】
スロット内にスナップフィットし、ディスペンサからの改良キャップの脱落を防止するために、突起の先端間の最大直径方向距離は本体の直径を超える、請求項２７又は２８に記載の改良キャップ。
【請求項３０】
ディスペンサから改良キャップにトルクを伝達するために、前記又は各突起は第１と第２の位置で前記／各スロットのエッジに当接するように配置されている、請求項２６、２７、２８又は２９に記載の改良キャップ。
【請求項３１】
ボトルの開口部を覆うためのキャップヘッドを有し、第１の通路はキャップヘッドを貫通する、請求項２４〜３０のいずれか一項に記載の改良キャップ。
【請求項３２】
第１の通路を閉止するための閉塞手段を備える、請求項２４〜３１のいずれか一項に記載の改良キャップ。
【請求項３３】
閉塞手段は、第１の通路を備える改良キャップの一部に連結する、請求項３２に記載の改良キャップ。
【請求項３４】
第１の通路を備える改良キャップの一部に関する移動を防止するために、閉塞手段は固定連結する、請求項３３に記載の改良キャップ。
【請求項３５】
閉塞手段は、第１の通路を覆うフォイル、又は第１の通路内のプラグを備える、請求項３４に記載の改良キャップ。
【請求項３６】
第１の通路を閉塞し、それにより、ディスペンサを第１の位置で動作不能な配置に構成するために、閉塞手段はディスペンサと共に第１の通路を備える改良キャップの一部に対して移動する、請求項３２又は３３に記載の改良キャップ。
【請求項３７】
閉塞手段はディスペンサの別部分に固定連結する、請求項３６に記載の改良キャップ。
【請求項３８】
第１の通路を備える改良キャップ一部はディスペンサに連結する、請求項３６又は３７に記載の改良キャップ。
【請求項３９】
閉塞手段は、第１の通路内で同軸移動するように配置されたプラグを備える、請求項３６、３７又は３８に記載の改良キャップ。
【請求項４０】
プラグは、リザーバの壁を貫通する第２の通路を備え、流体経路は第１の通路と第２の通路経由でリザーバから画定される、請求項３９に記載の改良キャップ。
【請求項４１】
閉塞手段は、改良キャップを受取るためにディスペンサが備えるリザーバ一部と栓受け一部とであるパーティションを備える、請求項３６、３７、３８、３９又は４０に記載の改良キャップ。
【請求項４２】
パーティションは、ディスペンサの別部分に固定連結する閉塞手段の一部である、請求項３８に従属する請求項４１に記載の改良キャップ。
【請求項４３】
ボトルからの改良キャップの捩り脱落を阻止するためにボトル開口上にクランプを備える、請求項２１〜４２のいずれか一項に記載の改良キャップ。
【請求項４４】
改良キャップと、改良キャップを受取り、ボトルに連結されるのに適応したディスペンサとを備える、ボトルへの連結のための第１の液体の貯蔵・排出用複合デバイスであって、ディスペンサは、第１の液体を受取り、貯蔵し、分注するように成形されたリザーバを有し、改良キャップがディスペンサに対して第１から第２の位置に移動させられた場合は、動作可能配置に構成され、さらに、ユーザ選択量の第１の液体をボトル内に分注するために、流体経路が前記改良キャップ内の第１の通路経由で前記リザーバから画定される、複合デバイス。
【請求項４５】
リブによりディスペンサと改良キャップにそれぞれ連結された第１と第２の不正開封手段を備え、複合デバイスが第１の配置にある場合は、第１と第２の不正開封手段はいずれもボトルに固着するように配置されている、請求項４４に記載の複合デバイス。
【請求項４６】
第１の不正開封手段のリブは、ディスペンサが捩られた場合には破断するように適応する、請求項４５に記載の複合デバイス。
【請求項４７】
第２の不正開封手段のリブは、ディスペンサが捩られた場合には破断するように適応する、請求項４５又は４６に記載の複合デバイス。
【請求項４８】
ボトルへの液体飲料又は注入可能な物質の充填と、改良キャップによるボトルの打栓と、ディスペンサと改良キャップとのインタロックによるボトルへのディスペンサの連結とを含み、改良キャップ内の第１の通路を開閉するために、改良キャップはディスペンサに対して第１と第２の位置間で移動可能である、ボトルを充填・打栓し、第１の液体の貯蔵・排出用複合デバイスにボトルを連結する方法。
【請求項４９】
流体経路経由での第１の液体の排出用エジェクタに嵌着するように配置されたリザーバ内への開口部経由での第１の液体の充填と、リザーバを閉止するための開口部へのエジェクタの嵌着とを含む、ボトルに連結された複合デバイス内のリザーバを充填する方法。
【発明の詳細な説明】
【技術分野】
【０００１】
本発明は一般的にはディスペンサに関し、詳細には液体の貯蔵・排出用ディスペンサに関する。本発明は、液体、特に、飲料の貯蔵用ボトル及び他の携帯容器と共に使用するデバイスの分野にある。
【背景技術】
【０００２】
通常、ボトルは１種類の液体の貯蔵・分注に使用される。２種類の液体を混合して使用されることも多い。例えば、特定の香りや味を求める人々の希望に応じて、飲料は別の液体と混合されることがある。
【０００３】
過去には、飲料や他の液体は別々のボトルに貯蔵され、ドリンクカップ、容器又は第３のボトルで混合されていた。このプロセスには、３本のボトル又は２本のボトルとカップが必要であった。
【先行技術】
【０００４】
先行技術においては、第１の物質をボトルの蓋の中に、第２の物質をボトルの中に入れて運び、貯蔵するデバイスが開発されてきた。そうすることで、２本のボトルを別々に運ぶ必要性が無くなる。しかし、これらのデバイスは、液体を簡便に混合して、いかなる時でも人々のある味覚に合わせた香味を実現するのには適さない。
【０００５】
公報ＷＯ−Ａ−２００８／０１７８９１（Ｆｒｕｉｔｉｎ）及びＷＯ−Ａ−２０１７／１７４９６２（Ｆｒｕｉｔｉｎ）には、添加物を入れた液体室を含むクロージャデバイスが開示されている。クロージャデバイスはボトルのネック部の開口部に取付けられる。クロージャデバイスの操作により、添加物はボトル内の液体中に入れられる。
【０００６】
公報ＵＳ−Ｂ１−７，０５５，６８５（Ｐａｔｔｅｒｓｏｎ他）には、製造中に成分が事前に充填された混合キャップが開示されている。混合キャップはボトルの口部に係合可能である。外部ハウジングを押圧することにより、事前に充填した成分をボトル内に放出してもよい。
【０００７】
公報ＷＯ−Ａ１−２０１４／１９６７９２（Ｋｉｍ他）及びＷＯ−Ａ−ＫＲ２０１３／００５５９５１（Ｋｉｍ）には、容器の入口部に連結された下部キャップを備える容器ストッパが開示されている。ストッパは、内部に添加物を入れるスペースを有する上部キャップを備える。添加物が入口部に連結された場合は、添加物をそのスペースから容器内に排出してもよい。
【０００８】
公報ＷＯ−Ａ１−２００４／００５１５４（Ｗｉｌｌｉａｍｓ−Ｌｕｃａｓ他）には、物質を容器内に分注するデバイスが開示されている。このデバイスは容器に取付け可能で、物質を保持するためのリザーバを有する。
【０００９】
一般的に、先行技術が開示しているのは、デバイスを取付けたボトル内に貯蔵された全ての物質を放出するだけのデバイスである。上記デバイスでは、ボトル内に貯蔵された香味又は香味付き液体を正確に計量して液体ベースに混合し、ボトル内に貯蔵し、人がある時に飲みたいと思う味は実現できない。
【００１０】
先行技術によるデバイスの使用では、もし人が今すぐに飲む気がなければ、混合後には貯蔵が困難になる香味又は香味付き液体及び液体ベース混合物が無駄になることがある。先行技術の使用により、蓋タイプデバイスを取付けたボトル内に貯蔵された物質は別として、デバイス内に貯蔵した物質と他の物質を混ぜるのは、不可能ではないが、不便である。先行技術の典型的なデバイスは、液体の貯蔵・混合には適さないことが多い。
【発明の概要】
【発明が解決しようとする課題】
【００１１】
本発明が考案されたのは、ユーザが混合前後の双方において１本のボトルにより混合液体の長期間貯蔵を行うと共に、特別の味覚に対する人の渇望を直ぐに充足するためにある。
【００１２】
本発明の第１の側面によれば、改良キャップの受取り及びボトルへの連結に対応したディスペンサが存在し、ディスペンサは、第１の液体を受取り・貯蔵するリザーバを有する。ディスペンサに対する第１の位置から第２の位置への改良キャップの移動時には、ディスペンサは動作可能になるように操作される。第２の位置では、ユーザ選択量の第１の液体をボトル内に分注するために、流体経路が改良キャップ内の第１の通路経由でリザーバから画定される。
【００１３】
本発明の第２の側面によれば、ボトル用改良キャップはディスペンサへの連結に適応しており、ディスペンサを動作可能配置に構成するために、改良キャップはディスペンサに対して第１から第２の位置に移動するように操作され、ユーザ選択量の第１の液体をボトル内に分注するために、流体経路が改良キャップ内の第１の通路経由でディスペンサ内のリザーバから画定される。
【００１４】
本発明の第３の側面によれば、改良キャップと、改良キャップの受取りとボトルへの連結に適応したディスペンサとを備える、ボトルに連結する第１の液体の貯蔵・排出用複合デバイスが存在する。ディスペンサは、第１の液体を受取り、貯蔵し、分注するように成形されたリザーバを有し、改良キャップがディスペンサに対して第１から第２の位置に移動した場合は、動作可能配置に構成され、ユーザ選択量の第１の液体をボトル内に分注するために、流体経路が改良キャップ内の第１の通路経由でリザーバから画定される。
【００１５】
ディスペンサは、ユーザが選択量の第１の液体を分注するために操作するエジェクタを備えてもよい。
【００１６】
本発明の利点は、それが提供する柔軟性にある。ボトル上又はそれ以外の場所で複合デバイスとして使用するために、ディスペンサと改良キャップはボトル上又はそれ以外の場所で組合せてもよい。
【００１７】
本発明の第４の側面によれば、ボトルへの液体飲料又は注入可能な物質の充填と、改良キャップによるボトルの打栓と、ディスペンサと改良キャップとのインタロックによるボトルへのディスペンサの連結とを含み、改良キャップ内の第１の通路の開閉のために、改良キャップがディスペンサに対して第１と第２の位置との間で移動可能である、ボトルの充填・打栓と、第１の液体の貯蔵・排出用複合デバイスへのボトルの連結方法が提供される。
【００１８】
本発明の第５の側面によれば、流体経路を経由して第１の液体を排出するエジェクタに嵌着するように配置されたリザーバ内へ開口部を経由する第１の液体の充填と、リザーバ閉止する開口部へエジェクタを取付けることを含む、ボトルに連結された複合デバイス内のリザーバを充填する方法が存在する。
【００１９】
複合デバイスには様々な実施形態が想定される。例えば、本発明の他の側面によれば、打栓済みボトルを閉止するために閉止可能な第１の通路が貫通する改良キャップと、コネクタによりボトルに連結可能なディスペンサ内のリザーバとを備える、第１の液体の貯蔵・排出用複合デバイスが提供され、使用中にはボトルを打栓する改良キャップ内の空洞、凹部、ソケット又はチャネルの中に第１の液体がリザーバから流入する際に通過する第１の通路の開閉のために、改良キャップはディスペンサに対して第１と第２の位置との間で移動可能である。
【００２０】
ディスペンサと改良キャップとがいったん連結されると、コネクタはそれらをインタロックする。ディスペンサはそれにより打栓済みボトルに連結され、改良キャップの取り外し時に、全複合デバイスがボトルから取り外し可能である。
【００２１】
好ましくは、ディスペンサは、改良キャップへの連結時に、改良キャップとインタロックするように配置され、ある手段がディスペンサからの改良キャップの取り外しを防止する。改良キャップの取り外しを防止する手段は不正開封手段としてもよい。改良キャップからのディスペンサの脱落を防止するために、改良キャップはディスペンサとの連結時にディスペンサとインタロックするように配置してもよい。
【００２２】
第１と第２の位置では、改良キャップに対するディスペンサの配置には第１と第２の配置があるので、複合デバイスは第１又は第２の設定にあると言ってよい。
【００２３】
本発明の他の側面によれば、改良キャップと、リザーバを含むディスペンサとを備え、リザーバからボトル打栓用改良キャップ内のソケットの中へ第１の液体用流体経路を開閉するために、改良キャップはディスペンサに対して第１と第２の位置間で移動可能である、第１の液体の貯蔵・排出用複合デバイスがある。
【００２４】
本発明のさらなる側面によれば、ボトル打栓用改良キャップと、リザーバを含むディスペンサとを備え、液体をリザーバから漏出させる流体経路を開閉するために、改良キャップはディスペンサに対して第１と第２の位置間で移動可能である、第１の液体の貯蔵・排出用複合デバイスがある。
【００２５】
複合デバイスには様々な実施形態が想定される。例えば、本発明の他の側面によれば、打栓済みボトルを閉止するために閉止可能な第１の通路が貫通する改良キャップと、コネクタによりボトルに連結可能なディスペンサ内のリザーバとを備える、第１の液体の貯蔵・排出用複合デバイスが提供され、使用中にはボトルを打栓する改良キャップ内の空洞、凹部、ソケット又はチャネルの中に第１の液体がリザーバから流入する際に通過する第１の通路の開閉のために、改良キャップはディスペンサに対して第１と第２の位置との間で移動可能である。
【００２６】
ディスペンサと改良キャップとがいったん連結されると、コネクタはそれらをインタロックする。ディスペンサはそれにより打栓済みボトルに連結され、改良キャップの取り外し時に、全複合デバイスがボトルから取り外し可能である。
【００２７】
好ましくは、ディスペンサは、改良キャップへの連結時に、改良キャップとインタロックするように配置され、ある手段がディスペンサからの改良キャップの取り外しを防止する。改良キャップの取り外しを防止する手段は不正開封手段としてもよい。改良キャップからのディスペンサの脱落を防止するために、改良キャップはディスペンサとの連結時にディスペンサとインタロックするように配置してもよい。
【００２８】
第１と第２の位置では、改良キャップに対するディスペンサの配置には第１と第２の配置があるので、複合デバイスは第１又は第２の設定にあるといってよい。
【００２９】
本発明の他の側面によれば、改良キャップと、リザーバを含むディスペンサとを備え、リザーバからボトル打栓用改良キャップ内のソケットの中へ第１の液体用流体経路を開閉するために、改良キャップはディスペンサに対して第１と第２の位置間で移動可能である、第１の液体の貯蔵・排出用複合デバイスがある。
【００３０】
本発明のさらなる側面によれば、ボトル打栓用改良キャップと、リザーバを含むディスペンサとを備え、液体をリザーバから漏出させる流体経路を開閉するために、改良キャップはディスペンサに対して第１と第２の位置間で移動可能である、第１の液体の貯蔵・排出用複合デバイスがある。
【００３１】
ここで、用語「ボトル」は、飲料又は他の注入可能な物質の貯蔵に使用される開口部の周りにネック部を有するフラスコ、ジョッキ、ジャー又は類似の容器を含む。
【００３２】
改良キャップは複合デバイスをボトルに連結するので、複合デバイスによりボトルを打栓してもよい。
【００３３】
本発明の他の側面によれば、ボトルへの飲料又は他の注入可能な物質の充填と、改良キャップ又は改良キャップを閉止する閉塞手段を含む改良キャップによるボトルへの打栓とを含む、ボトルを充填し、複合デバイスを連結する方法が存在する。有利には、ディスペンサには異なる場所又は異なる機器で第１の液体を充填し、それからディスペンサをボトルに連結してもよい。この方法は、コネクタとディスペンサ及び改良キャップ又は改良キャップユニットとのインタロックによるボトルへのディスペンサの連結を含んでもよく、第１の液体を保持するリザーバから流体経路の第１の通路又は別の一部を開閉するために、改良キャップはディスペンサに対して第１と第２の位置間で移動可能である。
【００３４】
本発明の他の側面によれば、流体経路を経由して第１の液体の排出用エジェクタに嵌着するように配置されたリザーバ内へ開口部を経由する第１の液体の充填と、リザーバを閉止する開口部へエジェクタを取付けることを含む、複合デバイス内のリザーバを充填する方法が存在する。
【００３５】
この方法は、ディスペンサを貫通する流体経路一部の閉止を含んでもよい。こ一部は第２の通路と呼んでもよい。有利には、充填済みリザーバを含むディスペンサを貯蔵して、ボトル充填を行うマシナリーに運んでもよい。ディスペンサはコネクタによりボトルに連結可能であり、リザーバからボトル打栓用改良キャップ内の空洞、凹部、ソケット又はプラグ中へ第１の液体用流体経路を開閉するために、改良キャップはディスペンサに対して第１と第２の位置との間で移動可能である。
【００３６】
本発明の他の側面によれば、流体経路を経由して第１の液体の排出用エジェクタに嵌着するように配置されたリザーバ内へ開口部を経由するリザーバ内に第１の液体の充填と、リザーバを閉止する開口部にエジェクタを取付けることを含む、ボトルへのディスペンサの連結時に複合デバイス内のリザーバを充填する方法が存在する。有利には、リザーバに充填を行えるように、ボトル上のディスペンサは流体経路が閉止される位置まで移動させてもよい。
【００３７】
本発明の他の側面によれば、ボトルへの飲料又は注入可能な物質の充填、ボトルへの改良キャップの打栓、ディスペンサと改良キャップとコネクタのインタロックによるボトルへのディスペンサの連結を含み、改良キャップ内の第１の通路を開閉するために、改良キャップはディスペンサに対して第１の位置と第２の位置との間で移動可能であり、さらに第１の通路を閉止するための通路及びディスペンサに対する改良キャップの移動を含む、ボトルを充填し、複合デバイスを連結する方法が存在する。有利には、ボトル上のディスペンサの充填を行うマシナリーへ運ぶ前には、充填済みボトルを貯蔵してもよい。
【００３８】
第１の液体はリザーバ内に貯蔵してもよい。流体経路の閉止時には、リザーバ内に貯蔵された第１の液体が漏出することはない。流体経路はリザーバ及び／又は改良キャップを貫通してもよい。通路は複合デバイスの別部分又は部位を貫通してもよい。
【００３９】
流体経路の開放時には、第１の液体はディスペンサから排出してもよい。改良キャップがボトルに打栓されている場合は、液体は、開放流体経路を経由して、複合デバイスを打栓されたボトル内に直接排出してもよい。改良キャップを貫通する第１の通路の開閉又は流体経路が備える別の通路の開閉により、流体経路を開閉してもよい。
【００４０】
好ましくは、ボトル上の改良キャップへのディスペンサの連結時には、ディスペンサと改良キャップ又は改良キャップユニットはインタロックする。複合デバイスもボトルから捩り脱落させてもよい。改良キャップとディスペンサはボトルから同時に取り外し可能としてもよい。
【００４１】
ボトルから複合デバイスを外す場合、複合デバイスはユーザの手の中に保持してもよい。好ましくは、ディスペンサはボトルの上方のユーザの手の中に保持してもよい。ユーザは第１の（味付き）液体をディスペンサからボトル又は別の容器内に排出する。
【００４２】
第２の液体又は注入可能な物質がボトル内に貯蔵可能である。
【００４３】
好ましくは、改良キャップは改良ボトルキャップであり、ボトル開口部の打栓用空洞、凹部、ソケット又はプラグを備える。
【００４４】
好ましくは、改良キャップは、容器又はボトルの、特に、ボトルネック部の開口部を打栓又は閉栓するように形成されている。この形状は、ボトル内に開口部を有するボトル一部受取り用凹部、空洞、ソケット、プラグ又はストッパを備えてもよい。好ましくは、ソケットはボトルのボトルネック開口部を受取るように形成されている。改良キャップはネック開口部のボトルネック部カバーを覆い、それにかぶさる。好ましくは、ボトルはそれにより打栓閉止される。好ましくは、改良キャップは捩り開閉タイプである。好ましくは、ソケットはボトルネック部を捩り開閉するためにネジ式である。改良キャップはボトルネック部上を捩り動作するための回転軸を有する。
【００４５】
ここでは、移動とは並進及び／又は回転を指す。好ましくは、改良キャップはディスペンサに対して並進可能及び／又は捩り動作可能であり、その逆でもある。有利には、ユーザは、ボトル又は他のタイプの容器に取付けてもよい改良キャップに対して、ディスペンサを手に持ち、引っ張ったり、押したり、捩ったりしてもよい。好ましくは、改良キャップは移動によりディスペンサから改良キャップまでの距離を変えることが可能である。好ましくは、この距離はリザーバから改良キャップまでの距離である。
【００４６】
反対方向への並進、移動又は捩り動作又は回転であるディスペンサと改良キャップとの並進及び／又は捩り動作のような反対方向移動を第１と第２の位置との間で、好ましくは、第１と第２の位置との間に限って許容してもよい。好ましくは、流体経路と、好ましくは、第１の通路との開閉のために、改良キャップはディスペンサに対して第１と第２の位置間で捩り可能である。第１の通路は、第１から第２の位置への改良キャップとディスペンサとの反対方向捩りにより開放してもよい。同様に、第１の通路は、第２の位置から第１の位置への改良キャップとディスペンサとの反対方向捩り動作により閉止してもよい。
【００４７】
改良キャップは、ボトルの開口部を覆うためのキャップヘッドを有してもよく、第１の通路はキャップヘッドを貫通する。
【００４８】
複合デバイスは、ディスペンサの一部と改良キャップ一部の双方に取付けられる閉塞手段を備えてもよい。従って、ディスペンサと改良キャップの双方は閉塞手段を備えてもよい。代替的に、閉塞手段をディスペンサだけ一部又は改良キャップだけ一部としてもよい。
【００４９】
第１の通路を閉塞し、それにより、ディスペンサを第１の位置で動作不能な配置に構成するために、ディスペンサは、改良キャップに対してディスペンサと共に移動する閉塞手段を備えてもよい。好ましくは、閉塞手段は、リザーバを形成するためにディスペンサの別の一部に連結するディスペンサの一部である。ディスペンサの別の一部を管状体の内面としても、パーティションとしてもよい。好ましくは、閉塞手段はパーティションを備える。
【００５０】
改良キャップは、第１の通路を閉止す閉塞手段を備えてもよい。閉塞手段は、第１の通路を備える改良キャップ一部に連結してもよい。第１の通路を閉塞し、それにより、ディスペンサを第１の位置で動作不能な配置に構成するために、第１の通路を備える改良キャップ一部に対してディスペンサと共に移動するように、改良キャップを閉塞手段に連結してもよい。閉塞手段を含む改良キャップは、ディスペンサの別の一部に固定連結された閉塞手段を有してもよい。ボトルを充填し、改良キャップにより打栓できることが利点となる。ディスペンサ本体は、ボトル上の改良キャップに取付けてもよい。ディスペンサ本体が取付けられので、閉塞手段は固定連結する。これにより、閉塞手段とディスペンサとの同時移動が確保できる。
【００５１】
改良キャップが備える閉塞手段がいったんディスペンサの一部に連結すると、閉塞手段もディスペンサの一部となる。
【００５２】
第１の通路を備える改良キャップ一部がディスペンサに連結する改良キャップを配置してもよい。この連結は、第１の通路を備える改良キャップ一部がディスペンサに対して移動可能に配置されている。ディスペンサは、閉塞手段を備える改良キャップとのインタロックに対応したものでよい。好ましくは、連結はディスペンサ内のスロット中の改良キャップ上の突起により行われる。
【００５３】
第１の位置で第１の通路を閉塞し、第２の位置で第１の通路を開放する寸法のプラグを閉塞手段が備えた状態のディスペンサを配置してもよい。プラグは第２の通路を備え、第１の通路内を同軸移動するように配置してもよい。
【００５４】
第１の通路内を同軸移動するように配置されたプラグを閉塞手段が備えた状態のディスペンサを配置してもよい。好ましくは、プラグは、リザーバの壁を貫通する第２の通路を備え、流体経路は第２の通路と第１の通路経由でリザーバから画定される。
【００５５】
第１の通路内に同軸移動するように配置されたプラグを閉塞手段が備えた状態の改良キャップを配置してもよい。プラグはリザーバの壁を貫通する第２の通路を備えてもよく、流体経路は第２の通路及び第１の通路経由でリザーバから画定される。
【００５６】
リザーバ一部及び改良キャップを受取るためにディスペンサが備える栓受け一部であるパーティションを閉塞手段が備えた状態の改良キャップを配置してもよい。パーティションは、ディスペンサの別の一部に固定連結する閉塞手段の一部であってもよい。
【００５７】
改良キャップは、第１の通路を閉止し、第１の通路を備える改良キャップ一部に連結するための閉塞手段を備えてもよい。改良キャップは、閉塞手段が固定連結するように閉塞手段を備えてもよい。これにより、第１の通路を備える改良キャップ一部に対する閉塞手段の移動が防止される。例えば、閉塞手段は、第１の通路を被覆するフォイルを備えても、第１の通路内にプラグを備えてもよい。利点は、標準的瓶詰め機器によりボトルを充填し、次に、閉塞手段を備える改良キャップによる打栓が行える得る点にある。第１の通路が閉止状態の改良キャップによりボトルは打栓されているので、充填済みボトルを貯蔵して、運んでもよい。
【００５８】
複合デバイスは、改良キャップのヘッド内の通路入口を通路閉止する第１の閉塞手段を、また改良キャップの空洞、凹部、ソケット又はプラグ内の通路からの出口に通路閉止用の第２の閉塞手段を備えてもよい。改良キャップと閉塞手段は、充填後のボトルの打栓用ユニット内に共に組込み可能としてもよい。有利には、ボトルに飲料又は他の注入可能な物質を充填し、次に、閉塞手段により閉止される改良キャップにより打栓してもよい。改良キャップ又はユニットに連結されたディスペンサは閉塞手段を貫通してもよい。第１と第２の位置間でディスペンサに対する改良キャップの移動中に通路が開放された場合は、第１の液体は通路経由で排出される。第１の通路又は流体経路の別の一部を開閉するように閉塞手段を配置してもよい。閉塞手段をバルブとしてもよい。閉塞手段を、ストッパ、又は通路を塞ぐための手段としてもよい。ディスペンサを改良キャップに対して第１と第２の位置間で移動させることにより、閉塞手段又はバルブを動作可能にしてもよい。閉塞手段を、改良キャップ及び／又はディスペンサに取付け可能な構成要素としてもよい。
【００５９】
好ましくは、第１から第２の位置へ改良キャップに対するディスペンサの移動中に、閉塞手段は漸進的に後退し、通路を開放する。第２の位置から第１の位置への移動により、通路を漸進的に閉止してもよい。好ましくは、漸進的後退は完全開放から完全閉止までであり、漸進的開放は完全閉止から完全開放までである。
【００６０】
ボトル充填コストを削減するために、標準的瓶詰め機器を利用して充填を行い、その後に閉止改良キャップにより打栓してもよい。キャップヘッドに接着され、ヘッド内の通路への入口を被覆する第１の膜のような閉塞手段により、改良キャップを閉止してもよい。第２の膜のような第２の閉塞手段をキャップピンホールの出口に被せて、接着してもよい。改良キャップを貫通する通路を密封するのであれば、第１又は第２の膜のいずれかを使用できる。ディスペンサが改良キャップに接合された場合は、ディスペンサの一部が膜を突き通してもよい。それにより、通路は膜により閉塞解除され、閉鎖手段は説明したように機能指定して、ユーザの都合により通路を開閉してもよい。
【００６１】
好ましくは、ディスペンサはリザーバの壁を貫通する第２の通路を有しており、流体経路は第２の通路と第１の通路経由でリザーバから画定される。第１と第２の通路は相互補完的形状を有してもよい。
【００６２】
好ましくは、第１の通路は改良キャップと共に移動し、第２の通路はディスペンサと共に移動し、その結果、第１の通路は第２の通路に対して移動する。
【００６３】
第１の通路を第２の通路に対して移動させるために、ユーザはディスペンサを改良キャップ対して移動させてもよい。これにより、流体経路の開閉を容易にしてもよい。
【００６４】
ディスペンサは閉塞手段又はその一部を備えてもよい。ディスペンサが含む閉塞手段の一部は、改良キャップを貫通する通路の第２部分を閉塞及び閉塞解除するように配置してもよい。好ましくは、通路の閉塞及び閉塞解除は改良キャップに対するディスペンサの移動により可能になる。
【００６５】
改良キャップを貫通する通路の第２部分は、容器又はボトル開口の閉止又は停止用手段に通じていてもよい。例えば、通路の第２部分は凹部、空洞に通じていてもよい。通路の開放時には、第１の液体をディスペンサ内のリザーバから通路の第１部分内に、次に通路の第２部分内に排出し、さらに、凹部、空洞又はソケット内に排出し、又はそれら経由で排出してもよい。有利には、第１の液体は凹部、空洞又はソケットから注出しても、飲んでもよく、第１の液体は凹部、空洞、ソケット経由で打栓済みボトル内に分注してもよい。
【００６６】
通路の開放時には、通路の第１と第２部分は隣接してもよい。通路の閉止時には、通路の第１部分は通路の第２部分から閉塞されてもよい。
【００６７】
第１の液体の貯蔵・排出用複合デバイスは、又は、本発明の他の側面による複合デバイスは、改良キャップと、リザーバを含むディスペンサとを備えてもよい。リザーバからボトル打栓用改良キャップ内のソケットに通じる第１の液体用通路の開閉のために、改良キャップはディスペンサに対して第１と第２の位置間で移動可能である。
【００６８】
好ましくは、通路の第１と第２部分とを近接させて、通路を開放及び／又は閉止するために、ユーザがディスペンサを改良キャップに対して操作してもよい。
【００６９】
デバイスが改良キャップによりボトルに取付けられた場合は、ディスペンサは改良キャップを覆ってもよい。有利には、デバイスがボトル上にあって、ボトル開口部を覆っている間に、ユーザはディスペンサを操作してもよい。
【００７０】
好ましくは、改良キャップに対してディスペンサを引いたり押したりすることで、ユーザは通路を簡単に開閉してもよい。好ましくは、相互移動中には、通路の第１及び第２部分は協働して通路を開閉する。好ましくは、改良キャップとディスペンサは、改良キャップとディスペンサとの共通軸に対して平行な方向へ移動するために協働する。改良キャップがボトルネック開口に打栓された場合は、共通軸はボトルネックの共通軸となる。
【００７１】
好ましくは、ディスペンサに対する改良キャップの捩り動作により、ユーザは通路を簡単に開閉してもよい。好ましくは、相互捩り動作中には、通路の第１と第２部分は協働して通路を開閉する。
【００７２】
改良キャップ及びディスペンサは、ディスペンサに対する改良キャップの捩り動作中に、改良キャップは、ディスペンサに対して改良キャップを移動させる相補形状を備えてもよい。好ましくは、通路を開閉するために、通路の第１及び第２部分は改良キャップとディスペンサとの相互移動により移動する。従って、ユーザの捩りトルクにより通路は簡単に開閉する。好ましくは、移動は捩り軸に対して平行である。
【００７３】
ディスペンサを改良キャップに対して移動させてもよい。好ましくは、ディスペンサは改良キャップに対して第１と第２の位置間で回転するので、ディスペンサは改良キャップに対して軸方向移動を促進する。好ましくは、軸方向移動により閉塞手段が動作する。第１と第２の位置間に限って軸方向相対移動するために、ディスペンサと改良キャップは協働してもよい。この手段により、第１と第２の位置間での改良キャップに対するディスペンサの相対移動による以外には、通路は開放されない。
【００７４】
使用中は、改良キャップはボトル上にあり、従って、ディスペンサを改良キャップに対し移動させ、及び／又は、捩るために、ユーザはディスペンサとボトルを把持してもよい。
【００７５】
ディスペンサは、改良キャップを受取るための形状及び寸法の栓受けを含んでもよい。パーティションが栓受けをリザーバから分離してもよい。パーティションを栓受けとリザーバの一部としてもよい。
【００７６】
ユーザが選択量の第１の液体を分注する操作を行うために、リザーバをディスペンサの壁とパーティションとエジェクタによって画定してもよい。パーティションはリザーバの壁を貫通する第２の通路を含んでもよい。
【００７７】
ディスペンサと好ましくはリザーバをも形成するために、栓受けは、ディスペンサ又は別の個別部品と共に組立てられた個別部品と一体成形してもよい。
【００７８】
リザーバの容量は栓受けの容量の１０倍、５倍、３倍又は２倍にしてもよく、リザーバの容量は栓受けの容量と略同一にしてもよい。
【００７９】
閉塞手段を、改良キャップ及びディスペンサの本体とは別個の部品としてもよい。閉塞手段は、キャップユニットを形成するために、第１の通路を備える改良キャップの一部に連結可能としてもよい。第１の通路を備える改良キャップの一部は、ボトルに改良キャップを取付けるためのソケットをさらに含んでもよい。改良キャップが改良キャップユニットとなるように閉塞手段が取付けられる場合は、改良キャップは閉塞手段を備えてもよい。
【００８０】
好ましくは、改良キャップを貫通する第１の通路を開閉するために、第１の通路を備える改良キャップの一部に関して閉塞手段が移動してもよい。有利には、ボトルには標準的瓶詰め機器により飲料又は他の注入可能な物質を充填し、その後、ディスペンサの管状体が閉塞手段に連結される前に、貯蔵又は搬送用閉止キャップユニットによる打栓を行ってもよい。
【００８１】
ディスペンサへの閉塞手段の連結により、改良キャップ及び／又は改良キャップユニットをディスペンサに連結してもよい。
【００８２】
ディスペンサに関して移動不能に閉塞手段を固定するために、閉塞手段をディスペンサ又はその一部に連結可能としてもよい。閉塞手段を移動不能に連結してもよいディスペンサの一部を、栓受けからリザーバを分離するパーティションとしてもよい。
【００８３】
閉塞手段を、パーティションのような別の構成要素の一部としてもよい。この構成要素を、成形又は射出成形部品又は３Ｄプリント部品のような単一部品としてもよい。ディスペンサに関して移動不能に固定するために、この構成要素をディスペンサに連結可能としてもよい。
【００８４】
ディスペンサ又はディスペンサの一部に第１の通路を備える改良キャップ一部の連結により、改良キャップユニットをディスペンサに連結してもよい。ディスペンサへの改良キャップの連結により、第１の通路を備える改良キャップ一部を第１と第２の位置の中間だけでディスペンサに対して移動可能にしてもよい。ディスペンサに固定された閉塞手段に対して第１の通路を備える改良キャップ一部を移動させることにより、改良キャップを貫通する通路の開閉のために、第１の通路を備える改良キャップ一部をディスペンサに対して第１と第２の位置間で移動させてもよい。
【００８５】
改良キャップとディスペンサとの相互補完的形状を、ディスペンサへの改良キャップ及び／又は改良キャップユニットの接続用コネクタとしてもよい。ディスペンサの栓受けを相互補完的形状の１つとしてもよい。連結用コネクタはトルク伝達部としてもよいし、トルク伝達部を備えてもよい。改良キャップ又は改良キャップユニットをそれによりディスペンサ又は栓受けのようなその一部にインタロックしてもよい。
【００８６】
複合デバイスは、改良キャップと、リザーバを含むディスペンサと、第１の液体をリザーバから漏出させるための流体経路と、流体経路を閉止するためキャップに接合可能であると共に、ディスペンサに固定可能な閉塞手段と、ディスペンサに対して改良キャップを移動させるディスペンサへのキャップのコネクタとを備え、キャップは流体経路を開閉するためにディスペンサに対して第１と第２の位置間で移動可能である。好ましくは、閉止される流体経路の一部が、改良キャップを貫通する第１の通路である。
【００８７】
本発明の他の側面によれば、リザーバを含むディスペンサと、液体用通路が貫通する改良キャップと、通路を閉止するために改良キャップに結合可能な閉塞手段とを備える第１の液体の貯蔵・排出用複合デバイスが存在し、ディスペンサは通路を開閉するために閉塞手段に固定可能で、ディスペンサに対して第１と第２の位置間で移動可能に改良キャップとインタロック可能である。改良キャップはディスペンサに対して移動し、閉塞手段はそれに固定されているので、ユーザは通路を開閉するためにディスペンサを操作してもよい。好ましくは、通路経由でリザーバから液体を排出させてもよい排出デバイスも存在する。
【００８８】
有利には、標準的瓶詰め機器を使用して、ボトルを充填し、改良キャップを貫通する通路を閉止する改良キャップ閉塞手段を含む改良キャップユニットによる打栓を行ってもよい。改良キャップとディスペンサがインタロックされ、インタロック手段によりボトルに取付けしてもよい。改良キャップとディスペンサが取付けられ、及び／又は、インタロックされている場合、ディスペンサに対する閉塞手段をディスペンサに固定する固定手段を備えてもよい。固定とインタロックの双方を行うためにディスペンサとキャップユニットは結合されるので、インタロック手段は固定手段の位置を定めてもよい。好ましくは、ディスペンサは、改良キャップを受取るためのディスペンサ内の栓受けのリムに脆弱性ストリンガにより取付けられた第１の離脱リングを備えている。好ましくは、第１の離脱リングは、内向きに栓受け内に入るリップを備えている。リップはボトル上の対応突起の上方にフック留めしてもよい。好ましくは、ディスペンサを捩りによりボトルから外すことにより、ディスペンサはボトルネック部の軸又はボトル開口部の軸に沿って軸方向に移動する。脆弱性ストリンガは軸方向の引き伸ばしにより破断する。有利には、ストリンガが破断したということが、ボトルが開封済みで、リザーバ内への通路も開放済みであることの証拠となる。
【００８９】
好ましくは、改良キャップは、改良キャップソケット又は空洞のリムに脆弱性リブにより取付けられた第２の離脱リングを備えている。ディスペンサと改良キャップはインタロックされるので、それらは同時にボトルから外してもよい。ディスペンサは第１の位置から第２の位置に螺合解除されるので、第２の離脱リングと、好ましくは、もし含まれていれば、クランプ手段は、改良キャップが一緒に螺合解除されるのを防止する。従って、第１の離脱リングは、通路が開放済みであるという証拠を残して、ディスペンサから離脱してもよい。第２の位置に達した後にディスペンサは螺合解除されるので、改良キャップをディスペンサと共に螺合解除する必要がある。従って、第２の離脱リングは、ボトルが開封済みであるという証拠を残して、改良キャップから離脱してもよい。クランプ手段を含むことの利点は、残りの物質をボトル内に貯蔵するために、複合デバイスをボトルに再度螺合してもよいという点にある。たとえ第２の離脱リングが破断しても、クランプ手段は機能し続けることになり、従って、通路の開閉を確実に行える。
【００９０】
いつかの標準的なボトルでは、ボトル上の突起の直径がボトルネック上のネジ径と同じか、それより若干大きくしてある。ディスペンサ上の不正開封・離脱リングは、ボトルの突起の背後にフック留めするには直径が大きすぎることがある。しかし、改良キャップ上へのディスペンサの組み付け後には、（ディスペンサと改良キャップの）説明した２つの離脱リングは一体として働くので、この問題が解決される。すなわち、改良キャップ上の離脱リングはボトルの突起の背後にフック留めされており、ディスペンサ上の離脱リングは改良キャップの離脱リングと密着連結されているので、ディスペンサ上の不正開封は改良キャップの不正開封と共に遮断することになる。これで、消費者には、ボトル上のディスペンサ又はボトルが開封済みであることが分かる。
【００９１】
複合デバイスは、リブによりディスペンサと改良キャップとにそれぞれ連結された第１と第２の不正開封手段を備えてもよく、複合デバイスが第１の構成にある場合は、第１と第２の両不正開封手段はボトルを固定するように配置されている。ディスペンサが捩られた場合、第１の不正開封手段のリブは破断するようになっている。ディスペンサが捩られた場合、第２の不正開封手段のリブは破断するようになっている。
【００９２】
改良キャップはディスペンサ内に、好ましくは、ディスペンサの栓受け内に位置してもよい。複合デバイスがボトルネックに密着螺合された場合は、改良キャップはディスペンサとボトルネックとの間にある。
【００９３】
ネック開口部に対して複合デバイスを密捩ることにより、ボトルとリザーバの双方が閉止される。第１の位置への到達時に改良キャップを捩るためにディスペンサが改良キャップと協働することから、改良キャップがボトル開口部を閉止するので、ボトルが閉止される。第２から第１の位置への改良キャップに対するディスペンサの捩り動作中には、ディスペンサは通路を閉止するために改良キャップと協働するので、リザーバが閉止される。通路を閉止するために、閉塞手段及び／又は通路の第１部分は通路の第２部分と協働してもよい。有利には、第１の液体はそれにより閉止リザーバ内に貯蔵され、第２の液体又は物質は閉止ボトル内に貯蔵される。
【００９４】
好ましくは、通路は第１の液体の小滴をリザーバからソケット内に分注するためのピンホールを含む。有利には、通路経由でリザーバ内の正確な個別量の第１の液体を排出してもよい。
【００９５】
改良キャップとディスペンサはいずれもボトルキャップの回転軸の周りで捩り動作してもよい。キャップをボトルの周りで捩るために、キャップ用栓受けの回転軸はキャップの回転軸と一致してもよい。ディスペンサの栓受けはキャップがソケットの回転軸の周りで捩り動作するのを制限する。好ましくは、キャップ周りのディスペンサの回転軸は、ソケットの回転による回転軸と同軸である。従って、ディスペンサとキャップは相互捩り動作時には相互回転軸を有する。
【００９６】
好ましくは、第１と第２の位置間でのディスペンサに対するキャップの移動可能量は前選択回転角であるか、又は前選択回転角を含む。
【００９７】
好ましくは、通路を開閉するために、キャップは第１と第２の位置間においてディスペンサに対して前選択回転角で捩り動作可能である。前選択回転角は５度、１０度、２０度、３０度、６０度、１２０度、３６０度又は７２０度としてもよい。
【００９８】
好ましくは、ディスペンサは第１と第２の位置間でボトルキャップに対して前方向（時計回り）及び後方向（反時計回り）に捩り動作可能である。ディスペンサを時計回りに第１の位置まで捩った際に、さらに時計回りにディスペンサを捩るためには、キャップも時計回りに捩ることが必要である。
【００９９】
好ましくは、キャップは、ディスペンサが時計回りに第１の位置から５度、１０度、２０度、３０度、６０度、１２０度、３６０度又は７２０度と捩り動作する間にキャップがボトル開口部を閉止密封するように配置されるネジ山を備える。回転クランプは、シールがもたらすキャップとして係合する。
【０１００】
同様に、ディスペンサを反時計回りに第２の位置まで捩った際に、さらに反時計回りにディスペンサを捩るためには、キャップも反時計回りに捩ることが必要である。
【０１０１】
好ましくは、複合デバイスはトルク伝達部を備える。トルク伝達部はキャップとディスペンサとの同時捩り動作を促進する。トルク伝達部は捩りトルクをディスペンサからキャップに伝達し、逆方向の伝達も行う。
【０１０２】
改良キャップとディスペンサが同時に回る場合は、好ましくは、両者間の相対移動なしで、同方向に捩り動作する。
【０１０３】
好ましくは、改良キャップとディスペンサは、同時に第１の位置から前方向に（時計回りに）回転する。改良キャップとディスペンサは第１の位置から前方向に（時計回りに）より強力に回転するだけでもよい。改良キャップがボトルを密閉閉止するように、改良キャップとディスペンサはボトルに対して共に時計回りに捩られる。改良キャップとディスペンサはその後には相互に対して第１の位置にある。
【０１０４】
改良キャップとディスペンサが同時回転する前に、ディスペンサは改良キャップに対して時計回りに第２の位置から、通路を閉止する第１の位置に捩られる。ボトル上に改良キャップを密に捩るために、トルク伝達部がトルクを時計回りにディスペンサから改良キャップに伝達するのは、第１の位置に到達した場合に限られる。最初に改良キャップがボトルに対してきつく捩られ、次にディスペンサが改良キャップ上で閉止中になるように、順序を変えてもよい。いずれの状況でもユーザはディスペンサをボトル上で時計回りに捩り動作させ、その結果、ボトルとディスペンサが閉止されることになる。
【０１０５】
通路を開閉するために、トルク伝達部は、ディスペンサに対する改良キャップの第１と第２の位置間で、前選択回転角を制限してもよい。好ましくは、ディスペンサは改良キャップから独立して第１の位置から反時計回りに捩り動作する。従って、ディスペンサが第１の位置から反時計回りに捩り動作した際には、改良キャップとディスペンサとの間に相対捩り動作があってもよい。
【０１０６】
好ましくは、改良キャップとディスペンサは同時に第２の位置から反時計回りに回転する。好ましくは、改良キャップとディスペンサは同時に第２の位置から反時計回りだけにしか回転しない。改良キャップがボトルから疎捩り動作するように、改良キャップとディスペンサはボトルに対して反時計回りに同期捩られる。改良キャップとディスペンサが同期捩り動作する前に、ディスペンサは第２の位置に到達するまで第１の位置から改良キャップに対して反時計回りに捩られる。第１の位置から第２の位置への相対回転により、流体経路が開放される。それにより、ディスペンサ内の通路を開放しても、及び／又は、改良キャップ内の第１の通路を開放してもよい。
【０１０７】
好ましくは第２の位置から、ディスペンサは、改良キャップ又は第１の通路とソケットを備える改良キャップ一部から独立して、時計回りに捩り動作する。従って、ディスペンサが第２の位置から時計回りに捩り動作した場合は、改良キャップとディスペンサとの間には相対捩り動作が生じてもよい。
【０１０８】
好ましくは、伝達部が係合するのは第１と第２の位置に限られる。従って、改良キャップ又は第１の通路とソケットを備える改良キャップ一部がディスペンサと係合して、第１から第２の位置に同期捩り動作する通路を開閉するために、改良キャップ又は第１の通路とソケットとを備える改良キャップ一部はディスペンサに対して第１と第２の位置間で前方向及び後方向に捩り動作可能である。
【０１０９】
トルク伝達部は、改良キャップに対してディスペンサを連結可能及び移動可能にするコネクタとしてもよい。好ましくは、トルク伝達部はディスペンサと改良キャップの補完的形状で形成される。好ましくは、改良キャップは第１の通路とソケットとを備える改良キャップ一部上の改良キャップトルク伝達部に対する相互補完的形状を有するディスペンサ上のディスペンサトルク伝達部が存在してもよい。
【０１１０】
好ましくは、改良キャップトルク伝達部は、ユーザが通路の開閉操作を行えるように露出している。露出トルク伝達部を操作することにより、ユーザは、ディスペンサがボトルから取り外される通路を簡単に開閉してもよい。
【０１１１】
代替的に、改良キャップ又は改良キャップユニットが覆われて、ユーザの操作によるアクセスが不能になるように、ディスペンサストップ部が改良キャップトルク伝達部を覆ってもよい。それによりユーザは、改良キャップがボトル上にある間に、ボトルと通路を同時に開閉するよう促される。好ましくは、ディスペンサと改良キャップ又は第１の通路とソケットとを備える改良キャップ一部とは反対方向への相対捩り動作を停止させるために、トルク伝達部は第１と第２の相互補完的形状を備える。好ましくは、第１と第２の相互補完的形状は第１と第２の位置にあり、及び／又は、それらの位置で係合する。リザーバからキャップ内のソケット中に達する第１の液体用通路を開閉するために、改良キャップ又は第１の通路とソケットとを備える改良キャップ一部は第１と第２の位置のストップ部の間でディスペンサに対して捩り動作可能である。ディスペンサ及び改良キャップ又は第１の通路とソケットとを備える改良キャップ一部の逆方向捩り動作が許容されるのはストップ部の間に限られる。
【０１１２】
好ましくは、トルク伝達部はキャップとディスペンサに相互補完的形状を含む。ディスペンサ上の第１の形状を補完する第１の形状がキャップ上に存在してもよい。ディスペンサ上の第２の形状を補完する第２の形状がキャップ上にさらに存在してもよい。従って、通路を開閉するために、補完的形状は第１と第２の位置間でのディスペンサに対するキャップの前選択回転角を制限してもよい。
【０１１３】
第１と第２の補完的形状は、それぞれ、キャップとディスペンサの相互回転軸の周りの分離角度により分離された第１と第２停止部としてもよいし、ストップ部を含んでもよい。ディスペンサは第１と第２の補完的形状の間でキャップに対して捩り動作可能である。分離角度は前選択回転角と同じてもよい。
【０１１４】
好ましくは、ストップの各々は、キャップ上のキャップストップ部に対する相互補完的形状又は外形部を有するディスペンサストップ部をディスペンサ上に備える。好ましくは、第１停止部のディスペンサストップ部は分離角度により第2停止部のディスペンサストップ部から分離されている。
【０１１５】
好ましくは、キャップをディスペンサに接合するために、ディスペンサとキャップのトルク伝達部の相互補完的形状はインタロックすることができる。複合デバイスは、インタロックされたキャップとディスペンサにより同時に保持してもよいディスペンサとキャップの組立てユニットである。ディスペンサに対するキャップの移動中には、ディスペンサとキャップはトルク伝達部による保持状態を保つ。ボトルに対する複合デバイスの着脱中には、ディスペンサとキャップはトルク伝達部により保持状態を保ってもよい。
【０１１６】
好ましくは、キャップとディスペンサの相互補完的形状を相互に停止するまで捩った場合は、相互補完的形状はトルクをキャップからディスペンサに伝達する。その後、相互補完的形状を経由して伝達されたトルクにより、キャップとディスペンサは同期捩られる。いった係合すると、一体として同時に回転するように、同期されたキャップとディスペンサの間には相対捩り動作は存在しない。
【０１１７】
キャップのトルク伝達部の相互補完的形状は、露出すべきディスペンサから突出してもよい。ディスペンサを貫通するスロットが存在してもよい。ユーザがキャップトルク伝達部を操作してもよいように、キャップのトルク伝達部形状は、露出させるべきスロットから突出してもよい。通路を開閉するために、ユーザはそれによりキャップにトルクを適用してもよい。
【０１１８】
好ましくは、ディスペンサは、管状としてもよい本体を有しており、改良キャップ上の突起を受取ってディスペンサ内で改良キャップをインタロックするために、本体内に画定されて、少なくとも１つのスロットが存在する。改良キャップとディスペンサとをインタロックするために、改良キャップはディスペンサの本体内のスロット内に受取るべき第１の突起を備えてもよい。
【０１１９】
好ましくは、ディスペンサは２つ以上のスロットを備える。改良キャップは第２の突起を備えてもよい。各スロットは、改良キャップ上の２つ以上の対応突起を受取るように配置してもよい。スロット毎に１つの突起が存在してもよい。
【０１２０】
第２の突起は、第１の突起に対して改良キャップの略正反対側に位置してもよい。スロットは管状体の略正反対側に位置してもよい。
【０１２１】
スロットは、本体内に画定された螺旋状経路上にあってもよい。改良キャップはディスペンサに対して回転するので、突起は螺旋状スロットに追従する必要があるという理由から、キャップは軸方向に移動させられる。
【０１２２】
好ましくは、ディスペンサは、改良キャップを受取るための形状及び寸法の栓受けを有し、栓受けはスロットを備える。
【０１２３】
スロットは、ディスペンサトルク伝達部であるディスペンサの補完的形状又は外形部の役割を果たす対向端を有してもよい。スロットの対向端はキャップトルク伝達部を停止させ、それによりキャップとディスペンサを第１と第２の位置で停止させてもよい。
【０１２４】
好ましくは、ディスペンサから改良キャップにトルクを伝達するために、ディスペンサ内のスロットは、第１と第２の位置で各突起に当接するように配置されたエッジを端に有する。第１と第２の位置で各スロットのエッジと当接して、ディスペンサから改良キャップにトルクを伝達するように、改良キャップを上記／各突起と共に配置してもよい。ディスペンサ内のスロットのエッジと改良キャップ上の突起は補完的形状を有する。
【０１２５】
スロットがディスペンサを完全に貫通しないように、スロットをディスペンサ内の単なる凹部としてもよい。スロット内のキャップ突起はディスペンサによって覆われ、従って、露出することはなく、操作のためのアクセスも不能である。
【０１２６】
好ましくは、改良キャップは、ディスペンサ本体に改良キャップの連結を容易にするために先細にした上記又は各突起と共に配置されている。スロット内に「スナップフィット」し、ディスペンサから改良キャップの離脱を防止するように、改良キャップは本体の直径を超える最大径方向距離で突起先端の間に配置してもよい。
【０１２７】
通路を開閉するために、スロットの端間角距離を、第１と第２の位置間でディスペンサに対する前選択回転角としてもよい。
【０１２８】
キャップトルク伝達部とディスペンサ内のスロットの対向端とをバンパとしてもよい。スロットは、キャップトルク伝達バンパ用バンパの役割を果たすリムを有してもよい。
【０１２９】
ディスペンサに適用されたトルクによって補完的形状により画定された第１と第２の位置間で、ディスペンサはボトルに対して捩り動作可能であってもよい。ディスペンサと改良キャップ又は第１の通路とソケットとを備える改良キャップの一部は第１と第２の位置間で相互に自由捩り動作するので、トルクは、改良キャップ又は第１の通路とソケットとを備える改良キャップ又は改良キャップの一部に対するディスペンサ上の相対トルクである。従って、ディスペンサを操作して通路を開閉するために、ユーザはディスペンサにトルクを適用してもよい。
【０１３０】
しかし、第１又は第２の位置の一方に到達するために、ディスペンサが改良キャップ又は第１の通路とソケットとを備える改良キャップ一部に対して捩り動作する場合は、ディスペンサから改良キャップにトルクを伝達するために、改良キャップ又は第１の通路とソケットとを備える改良キャップ一部とディスペンサの対応補完的形状は相互に把持し、相互に突き当たり、相互に停止し、又は、そうでなければ相互に係合する。ディスペンサは同方向にさらに捩り動作するので、到達した係合相互補完的形状はディスペンサと改良キャップを同時に同期捩る。好ましくは、同方向へのディスペンサのさらなる捩り動作中に改良キャップとディスペンサが同期化される場合は、係合補完的形状はディスペンサと改良キャップとの逆捩り動作を防止する。
【０１３１】
ディスペンサと改良キャップがトルクにより第１又は第２の位置まで相対捩り動作する場合は、改良キャップ又は第１の通路とソケットとを備える改良キャップ一部に対して末端位置方向にディスペンサを捩るために、トルクを逆転させてもよい。逆移動により係合補完的形状は係合解除される。末端位置では、末端補完的形状は相互に把持し、相互に突き当たり、相互に停止し、又は、そうでなければ相互に係合する。末端係合補完的形状はディスペンサから改良キャップ又は第１の通路とソケットとを備える改良キャップ一部にトルクを伝達する。これにより、ディスペンサと改良キャップは逆捩り動作なしで同時に同期化捩り動作する。トルク方向が逆転しなければ、ディスペンサと改良キャップ又は第１の通路とソケットとを備える改良キャップ一部との間に逆捩り動作は生じない。
【０１３２】
好ましくは、改良キャップ又は第１又は第２の位置のいずれか一方に第１の通路とソケットとを備える改良キャップ一部に対してディスペンサが第１の方向に捩り動作する場合は、改良キャップ上又は第１の通路とソケットとを備える改良キャップ一部上の補完的形状はディスペンサ上の補完的形状と係合する。好ましくは、係合した補完的形状は、改良キャップ又は第１の通路とソケットとを備える改良キャップ一部に対する第１の方向にディスペンサのさらなる捩り動作だけを停止させる。従って、停止部間における分離角度の外側での改良キャップ又は第１の通路とソケットとを備える改良キャップ一部に対するディスペンサの捩り動作が係合トルク伝達部により防止される。
【０１３３】
好ましくは、係合補完的形状から末端補完的形状への改良キャップ又は第１の通路とソケットとを備える改良キャップ一部に対するディスペンサの捩り動作を含む移動及び／又は移動を可能にするために、係合トルク伝達部は係合解除される。従って、第１と第２の位置間の分離角度内では、相対捩り動作及び／又は移動が許容される。従って、係合位置から末端位置に向かって改良キャップ又は第１の通路とソケットとを備える改良キャップ一部に対するディスペンサの捩り動作により、係合トルク伝達部は係合解除される。
【０１３４】
例えば、開口部周りのネック部に連結し、開口部を覆うか、又は閉栓するように、改良キャップ又は第１の通路とソケットとを備える改良キャップ一部を置くことにより、ユーザは複合デバイスをボトル上に載置してもよい。複合デバイスをネック部内又はネック部上に螺合するために、ユーザはディスペンサを相互回転軸の周りで捩ってもよく、及び／又は、複合デバイスをネック部内又はネック部上に移動させるために、ユーザはディスペンサを押し引きしてもよい。第１の位置に到達するまで、ディスペンサは改良キャップ又は第１の通路とソケットとを備える改良キャップ一部に対して第２の位置から捩り動作させられ、及び／又は、移動させられる。
【０１３５】
好ましくは、第１の位置では第１のトルク伝達部との係合が行われることになる。有利には、第１の位置に到達した場合は、通路も閉止される。複合デバイスをボトルネック上に螺合するためにディスペンサが捩り動作を続けている際は、第１のトルク伝達部はディスペンサに対する改良キャップ又は第１の通路とソケットとを備える改良キャップ一部の捩り動作を停止させる。従って、改良キャップをボトル上に螺合するために、第１のトルク伝達部はディスペンサから改良キャップ又は第１の通路とソケットとを備える改良キャップ一部に捩りトルクを伝達することになる。改良キャップがこれ以上ボトル上に螺合しなくなるまで、ディスペンサをさらに同方向に捩ってもよい。有利には、通路が閉止されているので、複合デバイスがボトルネックに取付けられている間は、リザーバ内の第１の液体はリザーバ内に確実に貯蔵されることになる。
【０１３６】
ユーザが複合デバイスからボトルネックを捩り脱落させても、及び／又は、複合デバイスを押し引きしてもよい。ユーザは改良キャップをボトルネック部から螺合解除する方向にディスペンサを捩って、及び／又は、複合デバイスを押し引きしてボトルネック部及び開口部から離間させる。ディスペンサはキャップとディスペンサの相互回転軸の周りで捩り動作してもよい。
【０１３７】
移動クランプが改良キャップ又は第１の通路とソケットとを備える改良キャップ一部をボトル上の所定位置に保持するので、当初は、改良キャップ又は第１の通路とソケットを備える改良キャップ一部はボトルに対する静止状態と、開口部を覆う密封状態を維持してもよい。改良キャップ又は第１の通路とソケットとを備える改良キャップ一部がボトルに対する静止状態と、開口部を覆う密閉状態とを維持している間は、第１のトルク伝達部を係合解除してもよく、次に、ディスペンサを改良キャップ又は第１の通路とソケットとを備える改良キャップ一部に対して第１から第２の位置に移動させてもよい。
【０１３８】
有利には、第２の位置に到達した場合は、ディスペンサと改良キャップ又は第１の通路とソケットとを備える改良キャップ一部との相対移動により、閉塞手段が通路を閉塞解除し、それにより通路が開放される。
【０１３９】
さらにディスペンサを操作して、捩り又は引っ張りにより複合デバイスを第２の位置から外した場合は、ディスペンサの捩り又は引っ張りの継続による螺合解除、又は引っ張りによるボトルネック部からの複合デバイスの脱落の際に、第２のトルク伝達部はディスペンサに対する改良キャップ又は第１の通路とソケットとを備える改良キャップ一部の捩り動作を停止させる。従って、第２のトルク伝達部はディスペンサから改良キャップ又は第１の通路とソケットとを備える改良キャップ一部にトルクを伝達して、改良キャップをボトルネック部から捩り螺合解除する。
【０１４０】
改良キャップがボトルネック部から脱落するまで、ディスペンサを同方向にさらに捩ってもよい。キャップが、好ましくはトルク伝達デバイスにより、ディスペンサにインタロックされている間は、複合デバイスをキャップと共にボトルから取り外してもよい。有利には、第１の通路が開いている間は、取り外された複合デバイスはリザーバ内の液体を分注可である。
【０１４１】
従って、ボトルを開封・閉止し、リザーバを開封・閉止するために、ボトルキャップを移動させてもよい。リザーバとボトルはボトルキャップにより同時に密封閉止してもよい。キャップとディスペンサの相互補完的形状はキャップの密封とリザーバの閉止を可能にする。ボトルネック部に対するキャップの相互補完的形状はキャップの密封とボトルの閉止を可能にする。
【０１４２】
キャップとディスペンサの間には回転抗力又は摩擦が存在する。この回転抗力又は摩擦が現れるのは、ディスペンサがキャップに対して第１と第２の位置間で回転する場合である。
【０１４３】
もしキャップとディスペンサ間の摩擦が大きすぎれば、引っ張り又は捩り動作によりボトルからディスペンサを引っ張り又は捩り脱落させる際に、摩擦が改良キャップ又は第１の通路とソケットとを備える改良キャップ一部をディスペンサと共に引っ張ることになる。これにより第１の通路の開放が妨げられる。この問題を克服するために、好ましくは、キャップは、改良キャップ又は第１の通路とソケットとを備える改良キャップ一部をボトルネック部にクランプする移動クランプを備える。移動クランプは、改良キャップ又は第１の通路とソケットとを備える改良キャップ又は改良キャップ一部をディスペンサに対して回転及び／又は移動可能にした状態で、改良キャップ又は第１の通路とソケットとを備える改良キャップ一部により、ボトルに対する回転と移動の双方への抵抗を促進してもよい。
【０１４４】
移動クランプは、改良キャップ又は第１の通路とソケットとを備える改良キャップ一部の捩り動作によるボトルネック部の脱落だけを妨げるものでもよく、従って、ボトル開口部の中心軸の周りで改良キャップ又は第１の通路とソケットとを備える改良キャップ一部の回転を妨げる単なる回転クランプでもよい。移動クランプは、ボトル開口部の中心軸に沿って第１の通路とソケットとを備える改良キャップ又は改良キャップ一部の移動だけを妨げるものでもよく、従って、単なる移動クランプでもよい。
【０１４５】
改良キャップは、ボトル開口部の周りでキャップを密封する密閉手段を備えてもよい。好ましくは、移動クランプがキャップをネック部にクランプしない場合は、ボトル内のあらゆる物質の漏出を防止するように、移動クランプは改良キャップをネック部に対して密封してもよく、キャップシールによるボトル開口部の周りでのその密封状態の維持を促進してもよい。
【０１４６】
好ましくは、改良キャップがボトルネック部上で完全に捩られ、最大捩り位置にある場合に限って、回転クランプはクランプを行う。
【０１４７】
好ましくは、キャップが、覆っているボトル開口部を密封閉止する場合を除いて、改良キャップはボトルから自由捩り脱落するように配置されている。そこでは、開口部を密封解除するために、改良キャップ又は第１の通路とソケットとを備える改良キャップ一部に十分なトルクが適用されるまでは、移動又は回転クランプは、ボトルから改良キャップが捩り脱落するのを妨げ、その後に、回転クランプはボトルから解放される。ディスペンサがトルク伝達部経由で改良キャップ又は第１の通路とソケットとを備える改良キャップ一部に係合する第２の位置まで、ディスペンサが捩られた場合は、ディスペンサ上ではトルク伝達部経由で改良キャップ又は第１の通路とソケットとを備える改良キャップ一部に十分なトルクを適用してもよい。この動作により、閉塞・閉塞解除手段による通路の閉塞を促進し、それにより、第１の液体を入れたリザーバを閉止してもよい。
【０１４８】
有利には、ディスペンサを第１の位置から第２の位置に捩った場合に、ユーザは通路を開放する。その後に、ユーザは開放通路経由でボトル内に第１の液体を分注できるし、ディスペンサを同方向にさらに捩り、複合デバイスをボトルから取り外して、開放通路経由で第１の液体を自分で選んだ別のスペース内に分注することもできる。
【０１４９】
十分な密封及び／又はクランプ力及び／又はトルクが適用されなければ、移動クランプは改良キャップシールによるボトル開口部周りの密封を妨げてもよい。ディスペンサの操作により、密封及び／又はクランプ力を適用してもよい。密封及び／又はクランプ力をトルク伝達部経由で移動クランプに適用してもよい。好ましくは、ディスペンサが第１の位置で改良キャップ又は第１の通路とソケットとを備える改良キャップ一部と係合する場合に限って、密封及び／又はクランプ力を適用してもよい。
【０１５０】
好ましくは、改良キャップを限定角度だけ捩り脱落方向に捩ると、回転クランプは解放される。
【０１５１】
第１の液体の貯蔵・排出用複合デバイス、又は、本発明の他の側面による複合デバイスは、回転クランプ付き改良キャップと、リザーバを含むディスペンサと、ディスペンサから改良キャップ又は第１の通路とソケットとを備える改良キャップ一部に時計回りにトルクを伝達して、それらを第１の位置から同時に時計回りに、及び／又は、第２の位置から同時に反時計回りに同期捩るトルク伝達部とを備え、通路を開閉するために、改良キャップ又は第１の通路とソケットとを備える改良キャップ一部は第１と第２の位置間でディスペンサに対して移動可能である。
【０１５２】
従って、通路を閉止し、改良キャップによりボトル開口部を閉止密封するために、ユーザはディスペンサを時計回りにボトルに捩り連結してもよい。有利には、ユーザはこの動きにより第１の液体をリザーバ内に、任意の別の液体をボトル内にいずれも確実に貯蔵する。
【０１５３】
通路を開放し、ボトルを密封解除し、選択時には、さらなる捩り動作によりボトルから複合デバイスを脱落させるために、ユーザはボトル上でディスペンサを反時計回りに捩ってもよい。有利には、この動きにより、ユーザはボトルに第１の液体を自分で選んだ別のスペース内に分注するためにディスペンサを位置決めできる。さらに、ボトルを開封することもできる。
【０１５４】
有利には、ボトルネック部に改良キャップが完全捩り連結した状態では、改良キャップがボトルネック部から捩り脱落を開始する前に、回転クランプは停止に対してディスペンサを捩る。従って、ディスペンサが脱落方向に捩り動作すると同時に、通路は開放される。通路開放の信頼性はそれにより向上する。
【０１５５】
好ましくは、改良キャップがボトルに対して閉止密封された場合は、回転クランプとの係合が行われる。好ましくは、回転クランプはボトルに対して改良キャップを密封する。
【０１５６】
適当な回転クランプの例としては、改良キャップの様々な一部、例えば、閉止位置で摩擦接触のために配置されたソケット内のネジ山、又は閉止位置でボトルのリムにクランプし、リムを密封するためのソケット内のクランプリング、又は閉止位置でボトルネック部と摩擦接触するように配置されたソケットの別の一部がある。
【０１５７】
回転クランプは、ボトルに固定された改良キャップを閉止位置に保持し、その結果、ボトルネック部から複合デバイスが最初に捩り脱落する場合は、第１と第２の位置間で、ディスペンサはクランプ改良キャップに対して回転する。キャップがまだボトル上にある状態でディスペンサの最初の捩り動作により、通路は開放される。有利には、ユーザがリザーバから直接又はソケット経由で第１の液体をボトル内に排出してもよい。
【０１５８】
さらなる捩り動作による複合デバイスの脱落と共に、改良キャップ又は第１の通路とソケットとを備える改良キャップ一部に対して、ディスペンサは第２の位置に到達する場所まで捩られる。そこでは、さらなる捩り動作により複合デバイスが脱落した状態で、第２のトルク伝達部は、改良キャップ又は第１の通路とソケットとを備える改良キャップ一部がディスペンサと共に捩り動作するのを抑制することになる。回転クランプの摩擦に打ち勝ち、ディスペンサと共に改良キャップをボトルネック部から捩り脱落させるために、ユーザはさらなる捩りトルクを適用してもよい。ボトルはそれにより開封され、複合デバイス内の通路も開放される。有利には、ユーザは第１の液体をディスペンサから開封ボトル又は別の容器又はリザーバ内に排出してもよい。
【０１５９】
リザーバと栓受けの内及び／又は外径は略同一としてもよい。好ましくは、ディスペンサは、改良キャップ用リザーバと栓受けに管状形状を提供する管状体を備える。管状体の外形は円筒状としてもよい。キャップを受取るための円筒状を栓受けに提供するために、管状体又はその一部の内部形状は円筒状としてもよい。有利には、第１と第２の位置に到達するために、ディスペンサを改良キャップの周りで容易に捩ってもよい。改良キャップを受取るために、栓受けは、管状体の開放端により形成された円形アクセスを有してもよい。
【０１６０】
改良キャップとディスペンサをインタロックするために、管状体内又は本体貫通の１つ以上のスロットが、改良キャップ又は第１の通路とソケットとを備える改良キャップ一部上の対応トルク伝達部を受取ってもよい。スロットは完全対向しており、ディスペンサのトルク伝達部一部であってもよい。改良キャップ又は第１の通路とソケットとを備える改良キャップ一部上の対応トルク伝達部を、改良キャップ又は第１の通路とソケットとを備える改良キャップ一部のリムから直径方向に外向きに延びる１つ以上の耳としてもよい。
【０１６１】
栓受け開口部からスロット位置までの栓受けの内径は耳の直径距離よりも小さくてもよい。耳はスロット内に突出してもよい。耳がスロット内でカチッと音がする改良キャップを栓受け内に挿入するために、栓受け又は管状体は可撓性又は伸縮性を有してもよい。栓受けは円形から楕円形に圧縮できてもよい。楕円形の場合、スロット位置の最大直径は、耳と耳の間の直径距離よりも大きくてもよい。最小直径はキャップの円形スカートの直径を超えてもよい。改良キャップはその場合ヘッドを先頭に栓受け内に挿入してもよい。栓受けが円形に戻された場合は、耳はスロット内に突出する。改良キャップとディスペンサはそれによりインタロックされる。
【０１６２】
第１の液体の貯蔵・排出用複合デバイス、又は、本発明の他の側面による複合デバイスは、改良キャップと、リザーバを含むディスペンサと、エジェクタとを備え、リザーバを貫通する通路と改良キャップを開閉するために、改良キャップ又は第１の通路とソケットとを備える改良キャップ一部は第１と第２の位置間でディスペンサに対して移動可能であり、開放通路経由で第１の液体を分注するために、エジェクタは手動操作可能である。好ましくは、改良キャップは回転クランプを備える。好ましくは、ディスペンサはエジェクタを備える。有利には、ユーザが、単にディスペンサを操作するだけで、通路を開閉して、リザーバ、ボトル又は自分の選んだ別のスペースを含む任意のスペース内に第１の液体を貯蔵又は分注することができる。
【０１６３】
好ましくは、ディスペンサの一部は、通路経由でのリザーバからの第１の液体の分注のための圧縮又は移動に対応している。圧縮対応のディスペンサの一部を管状体の弾性部としてもよい。移動対応のディスペンサの一部を、ユーザの手動操作による第１の通路又は流体経路経由での第１の液体の分注用エジェクタとしてもよい。
【０１６４】
好ましくは、エジェクタはディスペンサの変形可能及び／又は可撓性及び／又は圧縮部を備える。その一部はバネ又は他の弾性部を含んでもよい。好ましくは、エジェクタは、選択量の第１の液体の分注後にその形状を回復するリザーバの弾性部を備えてもよい。この一部をリザーバ壁の変形可能及び／又は可撓性部分としてもよい。
【０１６５】
リザーバ壁のこの弾性部は、ディスペンサの管状体から直径方向に内向きに延びる可撓性フラップを備えてもよい。可撓性フラップは管状壁から管状中心の途中までしか半径方向内向きに延びなくともよい。管状中心では、可撓性フラップ間のギャップは、リザーバへの第１の液体充填用の開口である。第１の液体をリザーバ内部に密封するために、フォイル又は可撓性膜を熱により可撓性フラップに接着又は取付けてもよい。
【０１６６】
好ましくは、エジェクタは、リザーバ内で移動可能なピストンである。ピストンはリザーバ内を滑動してもよい。ピストンは管状体内部を滑動してもよい。好ましくは、ピストンは一体部品であるか、又は単一ユニットに組立てられた部品を含む。
【０１６７】
リザーバは受取り用開口部を有しても、ディスペンサとエジェクタとの組立て前にエジェクタに連結してもよい。開口部を管状体の開放端としてもよい。開口部はパーティションに対向し、及び／又は、遠位であってもよい。開口部は、リザーバからの第１の液体の漏出時の通路の入口に対向しても、入口から遠位であってもよい。
【０１６８】
好ましくは、開口部は、組立てのためにピストンを受取り、ピストンを動作させるためにエジェクタの変形可能部又はピストンヘッドへの指によるアクセス可能な寸法にしてある。ディスペンサを組立てる場合は、リザーバをピストンにより囲んでもよい。
【０１６９】
好ましくは、ピストンは移動して開口部のリムに近接し、リザーバ内の第１の液体用容量を最大化することが可能である。好ましくは、リザーバのパーティション面は、リザーバ内部を向いたピストン面と合わさるように成形されている。これらの合わせ面は、略全ての飲料をリザーバから排出するためのマッチング輪郭を有する。合わせ面がピストンの移動により接触すると、第１の液体全てがリザーバから排出されるように、リザーバ内部の容量がゼロにされる。
【０１７０】
有利には、第１の液体がリザーバ内部で凍り、膨張した場合は、通路を開放するディスペンサに損傷を与えずに凍結飲料の容量を収納するために、ピストンは滑動してリザーバ内部の容量を増加させることになる。好ましくは、リザーバ内での第１の液体の密封貯蔵が維持されることになる。
【０１７１】
好ましくは、ピストンは、ピストンヘッドの材料の厚さにより、又は内向きにリザーバ内部を向いた凹面を有するピストンヘッドの凹形状により、又はピストンヘッド上の補強用リブにより提供される剛性を有する。有利には、この剛性が、リザーバ内のピストンの配向性の維持及びマッチング輪郭の維持を助ける。
【０１７２】
好ましくは、ピストンヘッドは軟性変形可能内面を有する。好ましくは、ピストンヘッドは可撓性を有する。有利には、パーティションに押し付けられた場合は、リザーバ内部を向いた軟性変形可能な表面によって、ピストンヘッドはパーティション輪郭に適合する。
【０１７３】
第１の位置では、通路は第１の液体に対して密封閉止され、ガス又は空気を遮断するためにも通路は密封してもよい。第１の位置に到達するために、ディスペンサに対して改良キャップ又は第１の通路とソケットとを備える改良キャップ一部が移動する場合は、シールを閉塞手段としてもよい。
【０１７４】
流体経路及び／又は第１の通路経由である場合を除いてリザーバ内からの第１の液体の漏出を防止するために、エジェクタは滑動液密シールを備えてもよい。好ましくは、エジェクタは、シールを備えるピストンである。好ましくは、第１の液体もガスも空気もピストンを迂回しなくてもよい。リザーバ内の第１の液体がリザーバから漏出できるのは、通路経由による排出時と、通路の開放時とに限られる。
【０１７５】
通路は、通路を限定するノズル又はピンホール開口部を含んでも、その開口部へと狭めてもよい。ピンホールの直径は毛細管程度としてもよい。通路のピンホール部を占有してよいのは第１の液体に限られる。空気又はガスはピンホール部内の第１の液体を迂回不能であってもよい。たとえユーザがエジェクタを動作しなくても通路が開いたとしても、ピンホール開口を経由して通路からの第１の液体の滴下が防止又は阻止される。好ましくは、エジェクタもガス密及び／又は気密である。従って、空気がエジェクタ経由でリザーバに入り、開放通路経由でリザーバ内の第１の液体が簡単に漏出することは不可能である。有利には、第１の液体がリザーバから漏出するのは、意図的な排出の場合に限られる。
【０１７６】
有利には、発泡性飲料がリザーバ内に貯蔵可能である。発泡性ガスは閉止通路又はエジェクタ経由のどちらかで漏出させてもよい。
【０１７７】
好ましくは、滑動シールは弾性ポリマーから形成される。
【０１７８】
好ましくは、滑動シールはピストン管状部又はピストンヘッドの周りに円周フラップを備える。好ましくは、滑動シールは１対の円周フラップを備える。フラップとリザーバを含む管状体部分との間に密封容量を形成するために、フラップはピストン上で軸方向に離間している。
【０１７９】
好ましくは、ピストンヘッドと滑動シールは一体形成され、好ましくは、単一材料製である。
【０１８０】
好ましくは、滑動シールは、リザーバを含む管状体部と周辺接触する可撓性Ｏリングを備える。
【０１８１】
好ましくは、滑動シールの可撓性は、好ましくは可撓性フラップを形成する膜のように薄いピストンヘッドの円周に近接する材料の厚さにより提供される。
【０１８２】
好ましくは、滑動シールは、ピストンとディスペンサの管状体間の継手である。好ましくは、滑動シールは、通路の開放時にピストンの自重に抗してピストンを定位置に保持する摩擦を提供する。有利には、ピストンの重量により通路経由でリザーバ内の第１の液体を排出することはできない。例えば、ユーザがピストンを押した場合に限って、第１の液体は通路経由で排出される。
【０１８３】
好ましくは、摩擦継手は、ピストンの自重と、リザーバ内部の最大容量を充填するリザーバ内の第１の液体の重量とを支える。これにより、たとえ通路の開放時であっても、通路からの第１の液体の偶発的滴下が防止される。好ましくは、リザーバ壁は透明又は半透明であり、ユーザがリザーバ内の第１の液体の容量を判断するために、壁越しにパーティション及び／又はピストンの位置が可視である。好ましくは、リザーバ壁越しに液体を見てもよい。
【０１８４】
有利には複合デバイスはポータブルである。ディスペンサと改良キャップは一緒に保持され、リザーバ内の第１の液体と共に運んでもよい。
【０１８５】
添付クレームにおいて本発明に記載した複合デバイスのさらなる開示を行う。
【図面の簡単な説明】
【０１８６】
以下、添付図面を参照しつつ本発明の説明を行うが、これは単なる一例である。
【図１】第１の液体の貯蔵・排出用複合デバイスの側面図である。
【図２】図２Ａは図１の複合デバイス内のディスペンサのリザーバ内部の図であり、図２Ｂはディスペンサのリザーバ方向の等角図であり、図２Ｃはディスペンサ内に改良キャップを受取るための栓受け方向の等角図であり、図２Ｄはディスペンサの栓受け内部の図である。
【図３】図３Ａは図１の複合デバイス内の改良キャップの頂部の図であり、図３Ｂはボトルキャップの頂部方向の改良キャップの等角図であり、図３Ｃは改良キャップ内にボトルネックを受取るためのソケット方向の等角図であり、図３Ｄは改良キャップのソケット内部の図である。
【図４】図４Ａは図１の複合デバイスのエジェクタの外部ピストンヘッド方向の等角図であり、図４Ｂはエジェクタの内面方向の等角図である。
【図５】複合デバイスの断面図である。
【図６】可撓性エジェクタフラップを有するディスペンサ本体の図である。
【図７】改良キャップの第１の通路を密封するためのフォイルを有する改良キャップの図である。
【図８】第２の実施形態のパーティションと打栓すべきボトルに連結された第２の実施形態の改良キャップの図である。
【図９】第２の実施形態の改良キャップとパーティションの組立て図及び分解図である。
【図１０】第２の実施形態のディスペンサ管状部と第２の実施形態のパーティションの組立て図及び分解図である。
【図１１】通路が閉止・開放されるように組立てられ、配置された第２の実施形態の改良キャップ、パーティション及びディスペンサ管状部の図である。
【発明を実施するための形態】
【０１８７】
図を参照して、図１に示したのは、部品の組立体である第１の液体１０の貯蔵・排出用複合デバイスである。複合デバイスはディスペンサ１００内に改良キャップ３００を備える。図１では、ディスペンサは透明管状壁を有するので、ディスペンサ１００内部の改良キャップ３００は可視である。
【０１８８】
図２及び図３は、ディスペンサ１００と改良キャップ３００をそれぞれ別部位として示す。
【０１８９】
ディスペンサ１００は第１の液体用リザーバ１１８、１１９を含む。改良キャップ３００はディスペンサに対して捩り動作可能である。
【０１９０】
改良キャップは、第１と第２のスロット１２４、１２５のディスペンサ上のエッジ１２８、１２９間で捩り動作可能である。スロットは、停止部として動作するトルク伝達部の形成物である。ボトル４００に対する改良キャップ３００の打栓中に改良キャップ３００とボトル４００に対してディスペンサ１００を捩ることにより、改良キャップ３００を第１停止部のエッジ１２８から第２停止部のエッジ１２９まで捩ってもよい。ディスペンサ１００に対して改良キャップ３００を捩ることで、リザーバから改良キャップ内のソケット３２１内部に通路３１４が開閉される。通路３１４を閉止するためには、改良キャップ３００を第１停止部のエッジ１２８から第2停止部のエッジ１２９まで捩る。通路を開放するには、改良キャップ３００を第2停止部のエッジ１２９から第１停止部のエッジ１２８まで捩る。
【０１９１】
角距離は第１停止部のエッジ１２８から第2停止部のエッジ１２９までの３０度である。改良キャップ３００はディスペンサ１００に対して３０度捩り動作可能である。
【０１９２】
図２に示したように、ディスペンサ１００は管状であり、管状壁１１０を備える。
【０１９３】
ディスペンサ１００は、ディスペンサ１００の内部を貫通するパーティション１１２を備える。パーティション１１２は管状壁１１０に連結され、ディスペンサの内部を横断するブロックである。ディスペンサ１００は、改良キャップ３００を内部に保持する栓受けを備える。栓受けの管状壁１１４はディスペンサの管状壁１１０の一部である。説明の便宜上、栓受けである管状壁一部には符号１１４を付す。栓受けの管状壁１１４である一部はパーティション１１２から栓受け管状リム１１５まで延びている。
【０１９４】
改良キャップ３００用栓受けは、栓受けの管状壁１１４とパーティション１１２とにより形成される。パーティション１１２は栓受けの閉止端を形成する。改良キャップ３００は栓受けの内部１１６に位置する。改良キャップ３００が栓受け内部で捩り動作可能になるように、改良キャップ３００は、栓受けの管状壁１１４に適合する管状スカート３０２を有する。
【０１９５】
第１の液体用リザーバは、改良キャップ３００用の栓受けとして反対側のパーティション１１２上にある。説明の便宜上、リザーバの側面である管状壁１００の一部には符号１１８を付す。リザーバの管状壁１１８である一部はパーティション１１２からリザーバ管状リム１２１まで延びている。
【０１９６】
パーティション１１２はディスク形である。このディスクは対向面を有する。面１１９の一方はリザーバの閉止端を形成する。反対面は栓受けの閉止端である。
【０１９７】
リザーバの管状壁１１８はリザーバの側面を形成する。リザーバは缶型である。リザーバの管状リム１２１はパーティションから遠位にある。リザーバの内部１２０は、第１の液体がディスペンサ１００からの排出まで貯蔵される場所である。
【０１９８】
リザーバの管状壁１１８は透明又は半透明である。管状壁１１８越しに見ることにより、ユーザがリザーバ内に貯蔵された第１の液体を見ることができる。
【０１９９】
管状壁上には、ユーザがリザーバ内の第１の液体の残量又は排出済み量を確認できる容量マーカ１２２がある。容量マーカは管状壁の材料内に形成されているか、又は、透明材料内又は透明材料上の不透明マーキングである。リザーバ内の第１の液体の液面に関する目盛数字又は記号が観測可能である。この容量マーカが、ユーザによる通路のピンホール３２０を経由して正確かつ個別量の第１の液体の排出を支援する。
【０２００】
反対側では、ディスペンサ１００の管状壁１１０のパーティション１１２は、内部ではディスペンサ１００に対して改良キャップ３００が捩り動作可能な栓受けである。前述の通り、栓受けの側面である管状壁一部には符号１１４を付す。栓受けの管状壁１１４はディスペンサの管状壁１１０一部であるので、ユーザはディスペンサ１００全体を把持して捩り、改良キャップ３００に対してディスペンサ１００を捩ることができる。
【０２０１】
栓受けの管状壁１１４内には第１のスロット１２４がある。第１のスロット１２４の１８０度反対側では、第２のスロット１２５が栓受けの管状壁１１４内にある。
【０２０２】
第１と第２のスロット１２４、１２５は細長く、縦方向が管状壁１１４の軸周りで改良キャップ３００の捩り方向に対して略平行になるが、同時にその捩り方向から傾斜もするように整列している。
【０２０３】
２つの突起３２６、３２８は、改良キャップ３００のスカート３０２から半径方向に突出した耳に似ている。第１の突起３２６は第１のスロット１２４内に突出している。第２の突起３２８は第１の突起３２６に対向し、第２のスロット１２５内に突出している。
【０２０４】
改良キャップ３００とディスペンサ１００は、ディスペンサに対する改良キャップの捩り動作時にディスペンサに対して改良キャップ３００を移動させるスロット１２４、１２５と耳３２６、３２８の補完的形状を備える。逆方向へディスペンサと改良キャップの相対捩り動作を停止させるために、スロットと耳はトルク伝達部の補完的形状となっている。
【０２０５】
第１のスロット１２４の縦方向エッジ１２６は、栓受けの管状壁１１４周りの周方向に対して略平行ではあるが、同時にその周方向から傾斜もしている。第２のスロットは対応する配向縦方向エッジ１２７を有する。ディスペンサ１００に対する改良キャップ３００の捩り動作時には、第１と第２の突起３２６、３２８は第１と第２のスロット１２４、１２５の縦方向エッジに沿って滑動する。
【０２０６】
改良キャップ３００の捩り動作時には、改良キャップ３００は縦方向エッジ１２６、１２７の傾斜により軸方向に移動する。
【０２０７】
スロット１２４、１２５の長さはエッジと縦方向端とにより画定される。第１のスロット１２４の長さはエッジ１２８から遠位エッジ１２９までの距離である。第２のスロット１２５の長さは第１のスロット１２４の長さと同じである。
【０２０８】
第１の突起３２６は、第１のスロット１２４内を縦方向端のエッジ１２８、１２９の間で滑動可能である。エッジ１２８、１２９は、第１のスロットを超える第１の突起３２６の移動を停止させる。同様に第２のスロット１２５を超える第２の突起３２８の移動も停止させられる。それにより、第１と第２の突起３２６、３２８は、第１と第２のスロット１２４、１２５の縦方向端にそれぞれ当接する位置を超える改良キャップ３００の捩り動作を停止させる。
【０２０９】
栓受けの管状壁１１４内の第１のスロット１２４は第１停止部であり、ディスペンサ上に位置する。第１のスロット１２４は、改良キャップの第１の突起３２６に対する相互補完的形状を有する。第１のスロットは第２停止部であり、改良キャップ上に位置する。
【０２１０】
第１のスロット１２４である第１と第２の停止部と第１の突起３２６とはそれぞれインタロックして、ディスペンサに改良キャップ３００を接合する。第２のスロット１２５と第２の突起３２８も同様にインタロックし、ディスペンサに対して改良キャップ３００を接合する。従って、改良キャップ３００とディスペンサ本体１００は、トルク伝達部のスロット１２４、１２５と第１と第２の突起３２６、３２８とによりインタロックされる。
【０２１１】
図面では、第１と第２のスロット１２４、１２５は栓受けの管状壁１１４を貫通している。しかし、第１と第２の突起３２６、３２８が滑動して、管状壁を貫通していない管状壁内の溝にちょうどインタロックするので、スロットが管状壁を貫通することは不可欠ではない。
【０２１２】
改良キャップ３００のスカート３０２は円筒状である。改良キャップ３００が栓受け内で捩り動作可能になるように、栓受けの管状壁１１４の内面も円筒状である。栓受けの管状壁１１４の外面は必ずしも円筒状ではない。管状リザーバの内面と外面は必ずしも円筒状ではない。構成の便宜上、リザーバの管状壁と栓受けの管状壁は、いくつかの実施形態では、円筒状内面と外面とを有する単純な円筒管から形成される。かかる実施形態を示したのが図１及び図２である。
【０２１３】
パーティション１１２は、栓受けの管状壁に近接した円形リボン状バンパリング１３０を備える。バンパリング１３０は、栓受けの内部のスロット１２４、１２５に到達しない距離まで延びている。バンパ１３０はリボン状厚さにより可撓性を有する。
【０２１４】
改良キャップが捩られ、スロットの傾斜により、パーティション１１０に最も近い第１と第２のスロット１２４、１２５の端と接触する第１と第２の突起３２６、３２８により停止させられた場合は、バンパリング１３０のリムは改良キャップ３００に対して押し付けられる。
【０２１５】
バルブチューブ１３２はパーティションの中心に位置しているが、パーティションの中心のバルブチューブ１３２は不可欠ではない。バルブチューブは栓受けの内部１１６からリザーバの内部１２０までパーティション１３２を貫通している。バルブチューブは、バンパリング１３０の突出距離を超えて栓受けの内部１１６に突出しているが、しかしバルブチューブはリザーバの内部１２０には延びていない。
【０２１６】
バルブチューブ１３２の内部の中心のスパイク１３８が、バルブチューブ１３２に連結されたスポーク１３４により支持されている。スパイク１３４はバルブチューブよりも深く栓受けの内部に延びている。複数のスポーク１３４間には通路１３６が存在する。
【０２１７】
通路の閉塞ピン１３８とピンホール３２０は、スロット１２４、１５及び突起３２６、３２８のトルク伝達部位置と螺旋状傾斜とに対して正確に位置決めされている。従って、ディスペンサと改良キャップ３００をトルク伝達部によりインタロックし、ディスペンサの操作により通路を開閉する役割を果たすのは、トルク伝達部の相互補完的形状である。
【０２１８】
改良キャップ３００上には、ボトル４００上に改良キャップ３００を打栓する際にボトル開口部を覆う被覆部３１０を形成する錐台３０６、すなわち、スカート３０２から半径方向に内向きのステップ３０４が存在する。
【０２１９】
バンパリング１３０のリムはステップ３０４を押す。ディスペンサの頂部にかかる重量がリザーバの管状壁１１８経由でバンパリング１３０内に、次に、ボトル上に螺合された改良キャップ３００内に伝達される。それにより、通路の精密部品１３２、１３４、１３６、１３８、３１２、３１４、３１６、３１８、３２０を損傷させずに、複合デバイスによる閉止ボトルの簡便な積み重ねが可能になる。重量伝達路は図５の断面図におそらく最も明瞭に示されている。
【０２２０】
改良キャップ３００の円筒状スカート３０２は、栓受けの管状壁１１４の円筒状内面に嵌合する。改良キャップ３００はそれにより栓受け内で心出しされる。
【０２２１】
改良キャップ３００の被覆部３１０内にはバルブ窪み３１２がある。バルブ窪み３１２は被覆部の中心に位置する。バルブ窪み３１２の基部３１６には、基部よりも深く延びるバルブ中空ほぞ穴３１４がある。中空ほぞ穴の底にはバルブピンホール３２０がある。
【０２２２】
バルブ窪み３１２、ほぞ穴３１４及び基部３１６は、改良キャップ３００の内部３１２に延びるバルブノズル３１８内に形成されている。バルブノズル３１８は内部３２１で心出しされ、被覆部３１０の内面から突出している。
【０２２３】
バルブノズル３１８は、ディスペンサ１００のバルブチューブ１３２及びスパイク１３８との相互補完的形状を有する。改良キャップ３００が栓受け内にある場合は、バルブチューブ１３２とスパイク１３８はバルブノズル３１８の内側に嵌合する。ディスペンサ１００内のリザーバから改良キャップ３００内のソケット３２１へは通路が形成される。
【０２２４】
通路は栓受けのバルブチューブ１３２を貫通し、次にバルブチューブ内の複数のスポーク１３４間の通路１３６を貫通し、次に被覆部３１０内のバルブ窪み３１２内に入り、次にバルブ中空ほぞ穴３１４内に入り、そしてバルブピンホール３２０内に入る。
【０２２５】
突起３２６、３２８が、パーティション１１２から最も遠いスロット１２４、１２５の端に接触するように改良キャップ３００が捩られる場合は、ディスペンサ１００の上のスパイク１３８は改良キャップのバルブほぞ穴３１４から後退させられる。ディスペンサ１００内のリザーバから改良キャップ３００内のソケット３２１内への通路が開放されるように、スパイク１３８とバルブほぞ穴３１４との間に隙間スペースが提供される。
【０２２６】
突起３２６、３２８が、パーティション１１２に最も近いスロット１２４、１２５の端に接触するように改良キャップ３００が捩られた場合は、ディスペンサ１００の上のスパイク１３８は改良キャップのバルブほぞ穴３１４に押し込まれる。ディスペンサ１００内のリザーバから改良キャップ３００内のソケット３２１内への通路が閉止されるように、隙間スペースにはスパイクが充填される。
【０２２７】
従って、改良キャップ３００の窪み３１２とほぞ穴３１４と基部３１４は、チューブ１３４と、複数の溝１３６間のスポーク１３４と、ディスペンサ１００のスパイク１３８とに対する相互補完的形状を有する部品である。改良キャップとディスペンサが通路の開閉のために相対移動する場合は、改良キャップとディスペンサのこれら部品はそれぞれ協働する。
【０２２８】
改良キャップ３００は、スカート３０２に近接した弾性クランプリング３２４を備える。クランプリング３２４がソケットの内部に延びる距離は、バルブノズル３１８がソケット内に延びる距離よりも短い。スカート３０２とクランプリング３２４の中間には円形溝がある。
【０２２９】
クランプリング３２４は、改良キャップ３００と係合する回転クランプ型である。ボトルネック部のリムはスカート３０２とクランプリング３２４間の円形溝内にクランプされている。改良キャップがボトルネック部上の最大捩り位置にある場合は、ボトルネック部のリムは円形溝内に到達するだけである。従って、改良キャップがボトルを密封閉止する場合は、回転クランプとの係合が行われる。
【０２３０】
改良キャップ３００は、ボトルネック部から捩り脱落するので、ボトルネック部のリムは溝から引き出され、回転クランプは係合解除される。ボトルネック部のリムを溝から引き出し、クランプを解放するのに十分な軸方向距離だけソケットネジ山３２２が改良キャップを移動させるためには、ユーザは限定角度でボトルクランプを捩るだけでよい。
【０２３１】
クランプリング３２４は、複数の停止部間のディスペンサに対して改良キャップを捩り動作させずに、ボトルネックからの改良キャップ３００の捩り脱落を防止する。
【０２３２】
ボトルネック部のリムがスカート３０２とクランプリング３２４間の円形溝の内側にクランプされた場合は、クランプリング３２４の摩擦によりボトル４００に対する改良キャップの回転が防止される。その結果として、ユーザがディスペンサを捩って、改良キャップがボトルネック部上で最大捩り位置にある状態のボトルから複合デバイスを捩り脱落させた場合は、ディスペンサ１００は最初に改良キャップ３００に対して第１停止部１２８から第2停止部に向かって捩り動作する。リザーバの内部１２０からソケット３２１内への通路はそれにより開放される。ボトルネック部からの複合デバイスの捩り脱落時の通路開放の信頼性が向上する。
【０２３３】
第２停止部に到達すると、ボトル４００から改良キャップの捩り脱落の方向において、第2停止部はトルクをディスペンサ１００から改良キャップ３００に伝達する。その結果として、さらなる捩り動作により改良キャップが捩られ、ボトルネック部のリムをクランプリング３２４の溝から引き出す。そして、複合デバイスはボトルから簡単に捩り脱落する。
【０２３４】
複合デバイスをボトルに捩り連結した場合、改良キャップ３００がボトルを密封閉止するまでは、回転クランプとの係合は行われない。従って、改良キャップがボトルネック部を閉止する場所への複合デバイスの捩り動作中には、通路は確実に閉止される。
【０２３５】
ディスペンサ１００は、脆弱性ストリンガ１４２により栓受け管状リム１１５に取付けられた離脱リング１４０を備える。離脱リングは、ボトルネック部への捩り連結を可能にするラチェット歯を備える。しかし、複合デバイスが捩り脱落した場合は、ラチェット歯はボトルの補完歯と係合し、その結果、脆弱性ストリンガは破断する。離脱リング１４０は、リング中心方向に内向きのリップを有する。ボトルは対応リングを有する。ディスペンサの離脱リング上のリップはボトルの対応リングの上方にフック留めされている。ディスペンサはボトルに捩り連結されるので、キャップネジ山はディスペンサを軸方向に移動させる。離脱リングのリップは、ボトルネック部の周りのリング上にフック留めされている。従って、脆弱性ストリンガは破断するまで軸方向に引き伸ばされる。ディスペンサ残部の捩り脱落時には、離脱リングはボトル上に残っている。それにより、離脱リング１４０は、ディスペンサがボトル４００から捩り脱落済みであることの証拠となる。
【０２３６】
ピストン２００の形のエジェクタがディスペンサ１００のリザーバ内に位置している。ピストンヘッドは、ユーザが押して、開放通路経由でリザーバ内の第１の液体を排出するためのユーザ操作可能面２０２を有する。ピストンヘッドの反対側には、リザーバの内面２０４がある。
【０２３７】
ピストンヘッドの円周の周りには、軸方向に離間した第１と第２のリングシール２０６、２０８がある。リングシールは、ピストンがリザーバの管状壁１１６に沿って滑動可能にする滑動シールである。リングシールは、管状壁１１８とピストン２００間に漏止めシールを形成する。管状壁１１８とピストン２００はそれにより組み合わされて、リザーバ内の第１の防漏用閉塞手段となる。従って、リザーバからの第１の液体の漏出は通路経由のものに限られる。
【０２３８】
第１の液体をリザーバから通路経由で改良キャップ３００のソケット３２１内に分注するためには、ユーザがピストン２００を手動操作する。
【０２３９】
エジェクタがピストンを備える必要はない。リザーバから液体を排出するために、ディスペンサ本体又はリザーバ壁自体に可撓性を持たせてもよい。図６はその一例を示したものである。可撓性フラップ１５２がリザーバ壁１５６から内向きに延びている。フラップ１５２を貫通する中心孔１６０経由でリザーバ内部１５８に充填した後に、フラップは可撓性膜により被覆される。ユーザが膜を圧搾して、パーティション１１２、６１２内の中心通路１３６、６３６経由で液体を排出してもよい。
【０２４０】
パーティション１５４と可撓性フラップ１５２は、リザーバの内部１５８からの射出成形型の取出しを困難にする内部１５８を囲んでいる。製造コスト削減のために、パーティション６１２は、後にディスペンサ本体８００とキャップ７００とに連結してもよい別個の部品６００として形成してもよい。特に、図１０に示したように、管状壁８１０に連結してもよい。フラップ１５２は別個の部品として形成し、後にディスペンサ本体８００に連結してもよい。
【０２４１】
ボトル充填のコスト削減のために、標準的瓶詰め機器により充填を行い、次に閉止キャップを打栓してもよい。図７は、キャップヘッドに接着され、ヘッド内の通路を被覆している第１の膜３３０である閉塞手段により閉止された改良キャップ３００を示したものである。第２の膜３３２がキャップピンホール出口を覆って接着されている。第１又は第２の膜の一方を使用して、改良キャップを貫通する第１の通路を密封している。膜３３０、３３２は脆弱である。ディスペンサ１００が改良キャップ３００に接合された場合は、パーティションから突出する通路のチューブ１３２の頂部の閉塞スパイク１３８により、膜は穿孔されることになる。
【０２４２】
図８〜図１１は、第１の通路７００を備える改良キャップ一部と、閉塞手段６３８を備えるパーティション６００と、ディスペンサ管状部９００とを含む第２の実施形態の改良キャップの一部を示したものである。第１の実施形態は、第１の実施形態の改良キャップ３００、第１の実施形態のリザーバと栓受け間のパーティション１１２及びディスペンサ管状壁１１０と類似している。
【０２４３】
これら第２の実施形態は第２の実施形態の複合デバイスに組み込まれている。第２の実施形態の複合デバイス内の通路は、ユーザによる類似の操作と、第１の実施形態の複合デバイス内の通路としての構成要素の機能とにより開閉してもよい。
【０２４４】
第１と第２の実施形態の複合デバイスにより、リザーバへの第１の液体の充填とボトルへの第２の液体又は他の注入可能な物質の充填の工程を分けることが可能になる。
【０２４５】
図８は、開口部の周りにネック部を有するフラスコ、ジョッキ、ジャー又は類似の容器を代表するボトル４００を示したものである。図８は、第１の通路を備える改良キャップ７００の一部に連結された第２の実施形態のパーティション６００も示す。ボトル打栓の準備中には、第１の通路を備える改良キャップ部７００の一部を貫通する通路７１２、７２０を閉塞するように、パーティション６００は、第１の通路を備える改良キャップ部分７００に連結されている。
【０２４６】
標準的瓶詰め工場には、第２の液体又は他の注入可能な物質をボトル４００に自動的に充填するための標準的マシンが存在する。充填済みボトル４００を打栓するための標準的マシンも存在する。第２の実施形態の第１の通路７００を備える改良キャップの連結部とパーティション６００は、標準的マシンが取扱ってもよいユニット５００である。
【０２４７】
充填済みボトル４００に打栓されたユニット５００はボトル開口部を閉止する。通路７１２、７２０は閉塞されているので、ボトルは閉止される。第２の液体を充填したボトルは、ボトル４００上の複合ユニットの組立てを仕上げる他のマシンが存在する場所に搬送してもよい。これが便利なのは、複合ユニットの組立てを仕上げるマシンが標準的ボトル充填や打栓マシンとは別の工場にあってもよい。
【０２４８】
図９は、第２の実施形態の第１の通路を備える改良キャップ部分７００とパーティション６００との連結によりユニット５００が形成される様子を示したものである。図９左は第１の通路を備える改良キャップ部分７００とパーティション６００とが連結されて、ユニット５００を形成している。図９中央は、第１の通路を備える改良キャップ部分のヘッド方向の分解図である。図９右は、ボトルネックを受取るための空洞、凹部又はソケット７２１の内部の分解図である。
【０２４９】
第１の通路を備える改良キャップ部分７００は、第１の実施形態のパーティション３００に類似している。第２の実施形態は、ソケット７２１の周りにキャップシリンダ壁７０２を有する。シリンダ壁７０２から外向きに突出する対向耳７２６、７２８が存在する。耳７２６、７２８は、第１の実施形態の改良キャップ３００について説明したように、トルク伝達部一部である。
【０２５０】
第１の通路を備える改良キャップ部分のヘッド７１０の頂部は、第２の実施形態のパーティション６００を受取るように成形されている。ヘッド７１０の頂部は、通路の第２部分の流入口７１２への中心円形入口を有するリング型である。リングの外周は、キャップシリンダ壁７０２から形成されている。ヘッド７００の頂部のエッジの円形溝は、キャップシリンダ壁７０２から直径方向に内向きにヘッドシリンダ壁７０６を有する円形溝を提供する。
【０２５１】
第２の実施形態のパーティション６００は、第１の通路を備える改良キャップ部分７００のヘッド７１０の頂部に適合するように成形されたディスクである。パーティション６００は対向リング状面６１２、６１４を有する。パーティション６００と第１の通路を備える改良キャップ部分７００とが連結されている場合は、複数の面６１２の一方は、第１の通路を備える改良キャップ部分７００のヘッド７１０の頂部に対向している。反対面６１４は、ユニット５００のヘッドの頂部であり、パーティションを貫通する通路６３６の第１部分への入口を囲んでいる。
【０２５２】
パーティション６００は、ディスク状面６１２、６１４の円周の周りに円形リム６５０有する。パーティション６００の円形リム６５０の直径と第１の通路を備える改良キャップ部分７００への円形壁７０２の直径は同じである。従って、パーティション６００が第１の通路を備える改良キャップ部分７００のヘッド７１０に連結されている場合は、ユニット５００は、単一の円筒状直径を有する状態に形成される。
【０２５３】
円形フランジが、キャップ７００に対向する面６１４から軸方向に離間するように円形リム６５０から延びている。フランジは、第１の通路を備える改良キャップ部分７００のヘッドのキャップ円形溝シリンダ壁７０６よりも直径がほんの少し大きい円筒状内面６４６を有する。フランジは円形エッジ６４８を有する。円形エッジ６４８から第１の通路を備える改良キャップ部分７００と対向する面６１４までの距離は、第１の通路を備える改良キャップ部分７００のシリンダ壁７０２の中に入る円形溝ステップ６０４の距離よりもほんの少し短い。パーティションのフランジを円形溝内に設置することにより、パーティション６００は第１の通路を備える改良キャップ部分７００のヘッドに連結される。
【０２５４】
パーティション６００が第１の通路を備える改良キャップ部分７００のヘッドに連結されている場合は、フランジの円筒状面６４６は円形溝シリンダ壁７０６を囲んでいる。第１の通路を備える改良キャップ部分７００の中心軸の周りで捩り動作可能になるように、パーティション６００は溝シリンダ壁７０６により案内される。
【０２５５】
管状導管６３０、６３２が、第１の通路を備える改良キャップ部分７００のヘッドの頂部７１２に対向する面６１４から突出している。第２の実施形態のパーティションの管状導管６３０、６３２は、第１の実施形態のパーティション１１２から突出するチューブ１３２に類似している。
【０２５６】
第１の通路を備える改良キャップ部分のヘッドの頂部に対向するディスク面６１４に連結された管状導管端６３２はこの面から離間して突出している。自由端を有する管状導管部分６３０により、導管端はさらに遠くまで延長される。リザーバと対向するために、ディスク面６１２を貫通する入口６３６が存在する。この入口６３６は、リザーバからパーティションを貫通する通路の第１部分への出口である。
【０２５７】
管状導管６３０、６３２は、パーティションディスクリム６５０の中心軸と同軸である。管状導管６３０、６３２の外径は、第１の通路を備える改良キャップ部分７００のヘッド７１０の中心の通路入口７１２及び中心窪み７１３の第２部分の内径よりもほんの少し小さい。第１の通路を備える改良キャップ部分にパーティション６００が連結した状態では、パーティション６００の管状導管６３０、６３２は通路入口７１２の第２部分経由で中心窪み７１３内に同軸嵌合する。パーティションの管状導管６３０、６３２を貫通する通路の第１部分は、それにより第１の通路を備える改良キャップ部分の中心窪み７１３を貫通する通路の第２部分と隣接する。
【０２５８】
通路の開閉用閉塞手段は、管状導管自由端６３０からのスポークにより軸方向に保持されたピン６３８である。ピン６３８の直径は管状導管自由端６３０の内径よりも小さい。パーティション６００を貫通する通路６３６の第１部分は、ピン６３８と管状導管自由端６３０の内径との中間にスペースを含む。
【０２５９】
第１の通路を備える改良キャップ部分７００がパーティション６００に取付けられた場合は、その部分に対向するために、ピン６３８は自由端からさらにディスク面６１４に延びている。ピン６３８の直径は、キャップヘッド７１０内の円筒状窪み７１３の他の場合は閉止端からピンホール出口７２０の直径よりも少し大きい。キャップヘッドに対向するディスク面６１４とキャップヘッド７１０とが接触する第１の通路を備える改良キャップ部分７００上にパーティション６００が置かれた場合は、ピン６３８はピンホール７２０を閉塞する。図１１左側の断面図には閉止状態の通路が示されている。通路の閉塞解除のために、ピンホールが非閉塞状態になるまで、パーティション６００は軸方向に移動させられ、キャップヘッド７１０から離間する。図１１右側の断面図には開放状態の通路が示されている。
【０２６０】
図１０に示したように、パーティション６００は単独でディスペンサの管状部８００内に挿入してもよい。前選択位置でパーティション６００を捕捉・把持するために、壁面８４６の円形リング８４４と把持部双方の直径はパーティションディスクリム６５０の直径よりも小さい。この位置設定では、パーティション６００はリザーバ管状壁８１０を栓受け管状壁８１４から分離する。ディスペンサの管状壁１１０とパーティション１１２が一体形成された第１の実施形態の複合デバイス１００の場合と同じように、パーティション６００に連結されたディスペンサ８００の管状部を同じように使用することもできる。
【０２６１】
しかし、内部で通路が閉止される単一ユニット５００を形成するために、第１の通路を備える改良キャップ部分７００に第２の実施形態のパーティション６００を最初に連結するという別の選択肢もある。標準的瓶詰め機器を使用して、ボトル４００には飲料液体又は他の注入可能な物質が充填される。標準的瓶詰め機器を使用して単一ユニット５００をボトルに打栓することにより、ボトル開口部は閉止される。次に、ディスペンサ８００の管状部を打栓済みボトルに連結し、ディスペンサ８００の管状部を全ユニット５００に連結する。この工程により、標準的瓶詰め機器を使用した複合デバイスの組立てが非常に効率化される。
【０２６２】
ほぼ組立て済みの複合デバイスがボトル上にある間に、パーティションディスク面６１２から遠位のリザーバの開放端経由でリザーバ９２０には第１の液体が充填される。次に、ピストン２００又は可撓性部のような他のタイプのエジェクタにより開放端を覆うことにより、リザーバ９２０は閉止される。これらの工程は、第２の工場の別の機器により実施してもよい。ユニット５００により打栓・閉止された充填済みボトル４００は貯蔵し、その後、都合が良ければ最も便利な搬送方法により第２の工場に搬送してもよい。
【０２６３】
ディスペンサ８００の管状部の栓受け壁８１４を貫通するスロット８２４、８２５は、第１の実施形態のディスペンサ１００の壁を貫通するスロット１２４、１２５に類似している。第１の通路を備える改良キャップ部分７００の耳７２６、７２８がスロット内に挿入される際には、スロット８２４、８２５はユニット５００とディスペンサをインタロックする。パーティション６００を捕捉するために、スロット８２４、８２５の位置及び螺旋状傾斜がリング８４４に対して正確に位置決めされる。キャップヘッド７１０に対向するために、閉塞ピン６３８の端と長さはディスク面６１４に対して正確に選択される。ピンホール通路出口７２０位置がキャップヘッド７１０に対して正確に選択される。パーティション６００と第１の通路を備える改良キャップ部分７００とディスペンサ８００の管状部との形状及び寸法は相互補完関係にある。耳７２６、７２８及びスロット８２４、８２５のトルク伝達部経由でディスペンサ管状部８００にユニット５００がインタロックされる場合は、これらの相互補完的形状は、ボトル上の第１の通路を備える改良キャップ部分に対してディスペンサを捩ることにより、通路を開閉できることを確保する。具体的には、相互補完的形状は、第１の通路を備える改良キャップ部分に対して、耳７２６、７２８がスロット８２４、８２５の端と接触し、閉塞ピン６３８が通路ピンホール７２０を閉塞する第１の位置まで、ディスペンサを時計回りに捩り動作できることも確保する。相互補完的形状は、第１の通路を備える改良キャップ部分に対して、耳７２６、７２８がスロット８２４、８２５の遠位端と接触し、閉塞ピン６３８が通路ピンホール７２０を開放する第２の位置まで、ディスペンサを反時計回りに捩り動作できることも確保する。さらに、トルク伝達部耳及びスロットの相互補完的形状経由で第１の通路を備える改良キャップ部分に適用される反時計回りトルクにより、ディスペンサの操作による通路の開放状態において、キャップをボトルから捩り脱落させてもよい。
【０２６４】
パーティション６００と、第１の通路を備える改良キャップ部分７００と、ディスペンサ８００の管状部は成形又は射出成形される。第２の実施形態のパーティション６００とディスペンサ８００の管状部を成形又は射出成形するためのツール及び工程は、管状壁１００とパーティション１１２を一体形成する第１の実施形態のディスペンサ本体１００の成形又は射出成形の場合に比べて比較的簡単である。その理由は、パーティション１１２が、成形後のツールの取り外しを困難にする管状壁１１０開放端の中間に位置することによる。
【０２６５】
上述した本発明の説明は単なる例示である。従って、前述の内容は本発明の原理の例証に過ぎない。さらに、当業者には数多くの修正及び変更が容易に想起されることから、図示・記述の正確な構造及び操作に本発明を限定するのは望ましくなく、従って、請求の範囲に含まれるものであれば、あらゆる適切な変更及び同等物を利用できるのは当然であろう。
【符号の説明】
【０２６６】
１０：  第１の液体の貯蔵・排出用複合デバイス
１００：ディスペンサ
１１０：ディスペンサの管状壁
１１２：リザーバと栓受け間のパーティション
１１４：キャップ用栓受けの管状壁
１１５：栓受け管状リム
１１６：栓受けの内部
１１８：ディスペンサ内の第１の液体用リザーバの管状内壁
１１９：リザーバの閉止端
１２０：リザーバの内部
１２１：リザーバ管状リム
１２２：リザーバ容量マーカ
１２４：栓受けの管状壁内の第１のスロット
１２５：栓受けの管状壁内の第２のスロット
１２６：複数の位置間でのキャップの捩り動作時に突起を案内する第１のスロットのエッジ
１２７：複数の位置間でのキャップの捩り動作時に突起を案内する第２のスロットのエッジ
１２８：第１のスロットの端の第１の位置の第１停止部
１２９：第１のスロットの遠位端の第２の位置の第2停止部
１３０：バンパリング
１３２：栓受け内に突出する通路の第１部分のバルブチューブ
１３４：バルブチューブ内の中心スパイクに対する通路閉塞手段スポーク
１３６：バルブチューブ内の複数のスポーク間の通路溝の第１部分
１３８：バルブチューブ内の通路遮断手段中心スパイク
１４０：ディスペンサの離脱リング
１４２：離脱リングを連結する脆弱性ストリンガ
１５０：代替実施形態のディスペンサ本体
１５２：エジェクタ用可撓性フラップ
１５６：リザーバ壁
１５８：リザーバ内部
２００：ピストン形式のエジェクタ
２０２：ピストンヘッドユーザ操作可能面
２０４：リザーバの内面であるピストンヘッド面
２０６：ピストン第１のリングシール
２０８：ピストン第２のリングシール
３００：改良キャップ
３０２：キャップのスカート
３０４：スカートからのステップ
３０６：ステップからの傾斜壁
３１０：ボトル開口部を覆う被覆部
３１２：被覆部内の中心窪み
３１４：ホゾ孔を貫通するバルブ第２部分通路
３１６：窪みからほぞ穴までのバルブシェルフ
３１８：通路閉塞ピン用バルブノズル及びほぞ穴
３２０：通路のピンホール及び第２部分
３２１：キャップ内ソケット
３２２：ボトル開口部のネック部と係合するネジ山
３２４：ボトルネック部の受取り用クランプリング
３２６：キャップ第１の突起又は耳
３２８：キャップ第２の突起又は耳
３３０：キャップヘッド通路入口を覆う膜
３３２：キャップピンホール通路出口を覆う膜
４００：ボトル
５００：パーティション連結により閉止される第２の実施形態の改良キャップ
６００：個別パーティション
６１２：リザーバに対向するディスク面
６１４：キャップの栓受けとヘッドの頂部に対向するディスク面
６３０：管状導管端自由端
６３２：リザーバに対向するディスク面に連結された管状導管端
６３４：管状導管上の外部ネジ山
６３６：パーティションを貫通する通路の第１部分
６３８：通路開閉ピン
６４６：ディスクリム円筒状内面
６４８：ディスクリム円筒エッジ
６５０：ディスクリム
７００：第１の通路を備える改良キャップ部分
７０２：キャップ円筒壁
７０４：キャップ円形溝ステップ
７０６：キャップ円形溝円筒壁
７１０：キャップヘッド
７１２：通路入口の第２部分
７１３：キャップヘッド内の中心窪み
７１５：通路開閉ピンを受取るシールチューブ
７２０：通路出口の第２部分
７２１：ボトルネックを受取る空洞、凹部又はソケット
７２２：ボトル開口のネック部に係合するキャップネジ山
７２６：キャップトルク伝達部耳
７２８：キャップトルク伝達部対向耳
８００：ディスペンサの管状部
８１０：リザーバ管状壁
８１４：栓受け管状壁
８２４：トルク伝達部第１のスロット
８２５：トルク伝達部第２のスロット
８４４：個別パーティションを捕捉するリング
８４６：個別パーティションリムを捕捉する管状壁面
９００：個別パーティションに連結されたディスペンサの管状部
９１６：栓受けの内部
９２０：リザーバの内部
１０００：ボトルシールワッシャ
【図１】
2021526487.tif 000003
【図２】
2021526487.tif 000004
【図３】
2021526487.tif 000005
【図４】
2021526487.tif 000006
【図５】
2021526487.tif 000007
【図６】
2021526487.tif 000008
【図７】
2021526487.tif 000009
【図８】
2021526487.tif 000010
【図９】
2021526487.tif 000011
【図１０】
2021526487.tif 000012
【図１１】
2021526487.tif 000013
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
改良キャップ（３００）の受取りと、ボトル（４００）への連結とに適応したディスペンサ（１００）であって、
第１の液体を受取り、貯蔵するリザーバ（１２０，１５８）と、
流体経路（１３２，３１８）を通して前記第１の液体の選択された量をユーザが分注するために操作されるエジェクタ（２００，１５２）と、を有し、
前記ディスペンサ（１００）は、前記改良キャップがディスペンサに対して第１から第２の位置に移動させられた場合は、動作可能となる配置にあり、
前記第２の位置では、前記流体経路（１３２，３１８）が前記改良キャップ（３００）内の第１の通路（３１８）経由でリザーバ（１２０，１５８）から画定され、前記改良キャップを通して、前記第１の液体の前記選択された量が前記リザーバ（１２０）から前記ボトル（４００）へ排出されるディスペンサ（１００）。
【請求項２】
連結時には改良キャップとインタロックするように配置されており、前記ディスペンサ内の手段（１２４）が、インタロックされた改良キャップ（３００）のディスペンサからの脱落を防止する、請求項１に記載のディスペンサ（１００）。
【請求項３】
本体（１１０）を有し、当該本体内には、改良キャップ（３００）上の突起（３２６）を受け入れ、前記ディスペンサ内の前記改良キャップとインタロックする、内部に少なくとも１つのスロットがある、請求項２に記載のディスペンサ（１００）。
【請求項４】
２つのスロット（１２４，１２５）を備え、各スロットが改良キャップ（３００）上の２つの対応突起（３２６，３２８）の一方を受け入れるように配置されている、請求項３に記載のディスペンサ（１００）。
【請求項５】
前記又は各スロットが本体内に画定された螺旋状経路上にある、請求項３に記載のディスペンサ（１００）。
【請求項６】
各スロット（１２４，１２５）が前記本体（１１０）内に画定される各々の螺旋状経路上にある、請求項４に記載のディスペンサ（１００）。
【請求項７】
前記２つのスロット（１２４，１２５）の各々が管状体（１１０）の略正反対側に位置する、請求項４又は６に記載のディスペンサ（１００）。
【請求項８】
前記ディスペンサ（１００）から前記改良キャップ（３００）にトルクを伝達するために、各スロット（１２４）は、第１と第２の位置で各突起に当接するように配置されたエッジ（１２８，１２９）を一端に有する、請求項３、４、５、６又は７に記載のディスペンサ（１００）。
【請求項９】
前記エジェクタは、リザーバ（１２０）内で移動可能なピストン（２００）を備える、請求項１〜８のいずれか一項に記載のディスペンサ。
【請求項１０】
前記エジェクタは、液体の前記選択された量の分注後にその形態を回復する前記リザーバ（１５８）の弾性変形可能な部分（１５２）を備える、請求項８又は９に記載のディスペンサ（１００）。
【請求項１１】
前記リザーバ（１２０）は、前記ディスペンサの壁（１１８）と、パーティション（１１２）と、前記エジェクタ（２００）とにより画定される、請求項１〜１０のいずれか一項に記載のディスペンサ（１００）。
【請求項１２】
前記リザーバの壁（１１２）を貫通する第２の通路（１３２）を有し、前記第２の通路（１３２）は、前記リザーバ（１２０）から前第１の通路（３１４）までの前記流体経路（１３２，３１４）を画定する、請求項１〜１１のいずれか一項に記載のディスペンサ（１００）。
【請求項１３】
前記第１の通路（３１４）が前記第２の通路（１３２）に対して移動するように、前記第１の通路（３１４）は前記改良キャップ（３００）と共に移動し、前記第２の通路（１３２）は前記ディスペンサと共に移動する、請求項１２に記載のディスペンサ（１００）。
【請求項１４】
前記改良キャップ（３００）を受け入れるための形状及び寸法の栓受け（１１４）を含む、請求項１〜１３のいずれか一項に記載のディスペンサ（１００）。
【請求項１５】
前記栓受け（１１４）は前記スロット（１２４，１２５）を備える、請求項３、４、５、６、７又は８に従属する請求項１４に記載のディスペンサ（１００）。
【請求項１６】
前記栓受け（１１４）の一部と前記リザーバ（１１８）からなるパーティション（１１２）を備える、請求項１４又は１５に記載のディスペンサ（１００）。
【請求項１７】
管状部（８００）を備え、前記栓受け（９１６）を前記リザーバ（９２０）から分離するために前記パーティション（６００）が前記管状部に挿入可能である、請求項１６に記載のディスペンサ（１００）。
【請求項１８】
前記パーティション（１１２）は前記第２の通路（１３２）を含む、請求項１２又は１３に従属する請求項１６又は１７に記載のディスペンサ（１００）。
【請求項１９】
前記第１の通路（３１８）を閉塞し、それにより、前記ディスペンサを前記第１の位置で動作不能な配置にするために、前記ディスペンサが前記改良キャップに対して移動するときに前記ディスペンサと共に移動する閉塞手段（１３８）を備える、請求項１〜１８のいずれか一項に記載のディスペンサ（１００）。
【請求項２０】
前記閉塞手段（６３８）は、前記リザーバ（９２０）を形成するために前記ディスペンサの別部分（８００）と連結する前記ディスペンサの一部（６００）である、請求項１８に記載のディスペンサ（１００）。
【請求項２１】
第２の閉塞手段（３３０，３３２）を備える前記改良キャップ（３００）とのインタロックに適応した、請求項１９又は２０に記載のディスペンサ（１００）。
【請求項２２】
前記閉塞手段（１３８，６３８）は前記パーティション（１１２，６００）を備える、請求項１６、１７又は１８に従属する請求項１９、２０又は２１に記載のディスペンサ（１００）。
【請求項２３】
前記閉塞手段は、前記第１の位置で前記第１の通路（１３８）を閉塞し、前記第２の位置で前記第１の通路（３１８）を閉塞解除する寸法のプラグ（１３８）を備える、請求項１９、２０、２１又は２２に記載のディスペンサ（１００）。
【請求項２４】
前記第２の通路（１３２）は前記プラグ（１３８）を通して画定され、前記プラグ（１３８）は前記第１の通路（３１８）内で同軸移動するように配置されている、請求項１２又は１８に従属する請求項２３に記載のディスペンサ（１００）。
【請求項２５】
第１の液体を貯蔵し、排出するとともに、ボトル（４００）に接続される複合デバイス（１０）であって、
請求項１〜２４のいずれか一項に記載のディスペンサ（１００）と、前記改良キャップ（３００）とを備える複合デバイス（１０）。
【請求項２６】
リブ（１４２）によりディスペンサ（１００）と改良キャップにそれぞれ連結された第１（１４０）と第２の不正開封手段を備え、前記第１と第２の不正開封手段はいずれも前記複合デバイスをボトル（４００）に固着するように配置されている、請求項２５に記載の複合デバイス（１０）。
【請求項２７】
前記第１の不正開封手段の前記リブは、前記ディスペンサ（１００）が前記改良キャップ（３００）に対して捩られた場合には破断するように構成されている、請求項２６に記載の複合デバイス（１０）。
【請求項２８】
前記第２の不正開封手段の前記リブ（１４２）は、前記ディスペンサ（１００）が前記ボトル（４００）に対して捩られた場合には破断するように構成されている、請求項２５又は２６に記載の複合デバイス（１０）。
【請求項２９】
ボトル（４００）を充填・打栓し、第１の液体の貯蔵・排出用の請求項２４〜２７のいずれか一項に記載の複合デバイスに前記ボトルを連結する方法であって、
前記ボトルへ液体飲料又は注入可能な物質を充填することと、
前記改良キャップ（３００）により前記ボトルを打栓することと、
前記ディスペンサ（１００）に前記第１の液体を充電することと、
前記ディスペンサ（１００）と前記改良キャップ（３００）とをインタロックさせることによって前記ボトルに前記ディスペンサを連結することとを含む、ボトルを充填・打栓し、第１の液体の貯蔵・排出用複合デバイスにボトルを連結する方法。
【手続補正２】
【補正対象書類名】明細書
【補正対象項目名】００２５
【補正方法】削除
【補正の内容】
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】０１９５
【補正方法】変更
【補正の内容】
【０１９５】
第１の液体用リザーバは、改良キャップ３００用の栓受けとして反対側のパーティション１１２上にある。説明の便宜上、リザーバの側面である管状壁１１０の一部には符号１１８を付す。リザーバの管状壁１１８である一部はパーティション１１２からリザーバ管状リム１２１まで延びている。
【手続補正９】
【補正対象書類名】明細書
【補正対象項目名】０２１４
【補正方法】変更
【補正の内容】
【０２１４】
改良キャップが捩られ、スロットの傾斜により、パーティション１１２に最も近い第１と第２のスロット１２４、１２５の端と接触する第１と第２の突起３２６、３２８により停止させられた場合は、バンパリング１３０のリムは改良キャップ３００に対して押し付けられる。
【手続補正１０】
【補正対象書類名】明細書
【補正対象項目名】０２１５
【補正方法】変更
【補正の内容】
【０２１５】
バルブチューブ１３２はパーティションの中心に位置しているが、パーティションの中心のバルブチューブ１３２は不可欠ではない。バルブチューブは栓受けの内部１１６からリザーバの内部１２０までパーティション１１２を貫通している。バルブチューブは、バンパリング１３０の突出距離を超えて栓受けの内部１１６に突出しているが、しかしバルブチューブはリザーバの内部１２０には延びていない。
【手続補正１１】
【補正対象書類名】明細書
【補正対象項目名】０２１６
【補正方法】変更
【補正の内容】
【０２１６】
バルブチューブ１３２の内部の中心のスパイク１３８が、バルブチューブ１３２に連結されたスポーク１３４により支持されている。スパイク１３８はバルブチューブよりも深く栓受けの内部に延びている。複数のスポーク１３４間には通路１３６が存在する。
【手続補正１２】
【補正対象書類名】明細書
【補正対象項目名】０２２７
【補正方法】変更
【補正の内容】
【０２２７】
従って、改良キャップ３００の窪み３１２とほぞ穴３１４と基部３１６は、チューブ１３２と、複数の溝１３６間のスポーク１３４と、ディスペンサ１００のスパイク１３８とに対する相互補完的形状を有する部品である。改良キャップとディスペンサが通路の開閉のために相対移動する場合は、改良キャップとディスペンサのこれら部品はそれぞれ協働する。
【手続補正１３】
【補正対象書類名】明細書
【補正対象項目名】０２４２
【補正方法】変更
【補正の内容】
【０２４２】
図８〜１１は、第１の通路７００を備える改良キャップ一部と、閉塞手段６３８を備えるパーティション６００と、ディスペンサ管状部９００とを含む第２の実施形態の改良キャップの一部を示したものである。第２の実施形態は、第１の実施形態の改良キャップ３００、第１の実施形態のリザーバと栓受け間のパーティション１１２及びディスペンサ管状壁１１０と類似している。
【手続補正１４】
【補正対象書類名】明細書
【補正対象項目名】０２４３
【補正方法】変更
【補正の内容】
【０２４３】
これら第１の実施形態は第２の実施形態の複合デバイスに組み込まれている。第２の実施形態の複合デバイス内の通路は、ユーザによる類似の操作と、第１の実施形態の複合デバイス内の通路としての構成要素の機能とにより開閉してもよい。
【手続補正１５】
【補正対象書類名】明細書
【補正対象項目名】０２６４
【補正方法】変更
【補正の内容】
【０２６４】
パーティション６００と、第１の通路を備える改良キャップ部分７００と、ディスペンサ８００の管状部は成形又は射出成形される。第２の実施形態のパーティション６００とディスペンサ８００の管状部を成形又は射出成形するためのツール及び工程は、管状壁１１０とパーティション１１２を一体形成する第１の実施形態のディスペンサ本体１００の成形又は射出成形の場合に比べて比較的簡単である。その理由は、パーティション１１２が、成形後のツールの取り外しを困難にする管状壁１１０開放端の中間に位置することによる。
【国際調査報告】
2021526487.tif 000014
2021526487.tif 000015
2021526487.tif 000016